(57)【要約】  本出願の実施例はハンドオーバー方法、アクセスネットワーク装置と端末装置を開示する。該方法は、第一のアクセスネットワーク装置が第二のプロトコルスタックを配置するように端末装置及び／又は第二のアクセスネットワーク装置をトリガし、該第二のプロトコルスタックが該第二のアクセスネットワーク装置と該端末装置のデータパケットの順序及び／又は該第二のアクセスネットワーク装置と該端末装置のデータパケットのキーを維持することに用いられることと、該第一のアクセスネットワーク装置が該第二のプロトコルスタックを使用して該端末装置のデータパケットの順序を維持するように該端末装置及び／又は該第二のアクセスネットワーク装置をトリガする前に、該第一のアクセスネットワーク装置が第一のプロトコルスタックを使用して該第一のアクセスネットワーク装置と該端末装置の処理待ちデータパケットを順次処理することとを含む。本出願の実施例の方法、アクセスネットワーク装置と端末装置は、ハンドオーバープロセスにおける端末装置のデータ伝送の遅延を低減することに有利である。
2020532887.tif 000002
【特許請求の範囲】
【請求項１】
ハンドオーバー方法であって、
第一のアクセスネットワーク装置が、第二のプロトコルスタックを配置するように端末装置及び／又は第二のアクセスネットワーク装置をトリガし、前記第二のプロトコルスタックが、前記第二のアクセスネットワーク装置と前記端末装置のデータパケットの順序及び／又は前記第二のアクセスネットワーク装置と前記端末装置のデータパケットのセキュリティキーを維持することに用いられることと、
前記第一のアクセスネットワーク装置が前記第二のプロトコルスタックを使用して前記端末装置のデータパケットの順序を維持するように前記端末装置及び／又は前記第二のアクセスネットワーク装置をトリガする前に、前記第一のアクセスネットワーク装置が、第一のプロトコルスタックを使用して前記端末装置の処理待ちデータパケットを順次処理することとを含む、前記ハンドオーバー方法。
【請求項２】
前記処理待ちデータパケットが第一のデータパケットを含み、前記第一のアクセスネットワーク装置が前記第二のプロトコルスタックを使用して前記端末装置のデータパケットの順序を維持するように前記端末装置及び／又は前記第二のアクセスネットワーク装置をトリガする前に、前記第一のアクセスネットワーク装置が、第一のプロトコルスタックを使用して前記端末装置の処理待ちデータパケットを順次処理することは、
前記第一のアクセスネットワーク装置が前記第二のプロトコルスタックを使用して前記端末装置のデータパケットの順序を維持するように前記端末装置及び／又は前記第二のアクセスネットワーク装置をトリガする前に、前記第一のアクセスネットワーク装置が、前記端末装置から送信された前記第一のデータパケットを受信することと、
前記第一のアクセスネットワーク装置が、前記第一のプロトコルスタックを使用して前記第一のデータパケット又は前記第一のデータパケットのデータ部分を復号することと、
前記第一のアクセスネットワーク装置が、前記第一のプロトコルスタックを使用し、復号された前記第一のデータパケットを順次処理することとを含むことを特徴とする
請求項１に記載の方法。
【請求項３】
前記処理待ちデータパケットが第二のデータパケットを含み、前記第一のアクセスネットワーク装置が前記第二のプロトコルスタックを使用して前記端末装置のデータパケットの順序を維持するように前記端末装置及び／又は前記第二のアクセスネットワーク装置をトリガする前に、前記第一のアクセスネットワーク装置が、第一のプロトコルスタックを使用して前記端末装置の処理待ちデータパケットを順次処理することは、
前記第一のアクセスネットワーク装置が前記第二のプロトコルスタックを使用して前記端末装置のデータパケットの順序を維持するように前記端末装置及び／又は前記第二のアクセスネットワーク装置をトリガする前に、前記第一のアクセスネットワーク装置が、コアネットワーク装置から送信された前記第二のデータパケットのデータ部分を受信することと、
前記第一のアクセスネットワーク装置が、第一のプロトコルスタックを使用して前記第二のデータパケットを順次処理することとを含み、
前記方法はさらに、
前記第一のアクセスネットワーク装置が、前記第一のプロトコルスタックを使用し、順次処理された前記第二のデータパケット又は前記第二のデータパケットのデータ部分を暗号化することを含むことを特徴とする
請求項１に記載の方法。
【請求項４】
前記処理待ちデータパケットが第三のデータパケットを含み、前記第一のアクセスネットワーク装置が前記第二のプロトコルスタックを使用して前記端末装置のデータパケットの順序を維持するように前記端末装置及び／又は前記第二のアクセスネットワーク装置をトリガする前に、前記第一のアクセスネットワーク装置が、第一のプロトコルスタックを使用して前記端末装置の処理待ちデータパケットを順次処理することは、
前記第一のアクセスネットワーク装置が前記第二のプロトコルスタックを使用して前記端末装置のデータパケットの順序を維持するように前記端末装置及び／又は前記第二のアクセスネットワーク装置をトリガする前に、前記第一のアクセスネットワーク装置が、前記第二のアクセスネットワーク装置から送信された、前記第二のアクセスネットワーク装置が前記第二のプロトコルスタックを使用して復号した前記第三のデータパケットを受信することと、
前記第一のアクセスネットワーク装置が、復号された前記第三のデータパケットを順次処理することとを含むことを特徴とする
請求項１又は２に記載の方法。
【請求項５】
前記処理待ちデータパケットが第四のデータパケットを含み、前記第一のアクセスネットワーク装置が前記第二のプロトコルスタックを使用して前記端末装置のデータパケットの順序を維持するように前記端末装置及び／又は前記第二のアクセスネットワーク装置をトリガする前に、前記第一のアクセスネットワーク装置が第一のプロトコルスタックを使用して前記第一のアクセスネットワーク装置と前記端末装置の処理待ちデータパケットを順次処理することは、
前記第一のアクセスネットワーク装置が前記第二のプロトコルスタックを使用して前記端末装置のデータパケットの順序を維持するように前記端末装置及び／又は前記第二のアクセスネットワーク装置をトリガする前に、前記第一のアクセスネットワーク装置が、コアネットワーク装置から送信された前記第四のデータパケットのデータ部分を受信することと、
前記第一のアクセスネットワーク装置が、前記第一のプロトコルスタックを使用して前記第四のデータパケットを順次処理することとを含み、
前記方法はさらに、
前記第二のアクセスネットワーク装置が前記第二のプロトコルスタックを使用し、順次処理された前記第四のデータパケット又は前記第四のデータパケットのデータ部分を暗号化することができるように、前記第一のアクセスネットワーク装置が、順次処理された前記第四のデータパケットを前記第二のアクセスネットワーク装置に送信することを含むことを特徴とする
請求項１又は３に記載の方法。
【請求項６】
前記方法はさらに、
前記第一のアクセスネットワーク装置が、処理する必要がある前記端末装置のデータ又はデータパケットが前記第一のアクセスネットワーク装置に存在しないことを確定した場合、前記第一のアクセスネットワーク装置が、前記第二のプロトコルスタックを使用して前記端末装置のデータパケットの順序を維持するように前記端末装置及び／又は前記第二のアクセスネットワーク装置をトリガすることを含むことを特徴とする
請求項１−５のいずれか一項に記載の方法。
【請求項７】
前記第一のアクセスネットワーク装置が、処理する必要がある前記端末装置のデータ又はデータパケットが前記第一のアクセスネットワーク装置に存在しないことを確定した場合、前記第一のアクセスネットワーク装置が前記第二のプロトコルスタックを使用して前記端末装置のデータパケットの順序を維持するように前記端末装置をトリガすることは、
前記第一のアクセスネットワーク装置が、処理する必要がある前記端末装置のデータ又はデータパケットが前記第一のアクセスネットワーク装置に存在しないことを確定した場合、前記第一のアクセスネットワーク装置が、前記端末装置及び／又は前記第二のアクセスネットワーク装置へ第一の指示情報を送信し、前記第一の指示情報が、前記第二のプロトコルスタックを使用して前記端末装置のデータパケットの順序を維持するように前記端末装置及び／又は前記第二のアクセスネットワーク装置に指示することに用いられることを含むことを特徴とする
請求項６に記載の方法。
【請求項８】
前記方法はさらに、
前記第一のアクセスネットワーク装置が、処理する必要がある前記端末装置のデータ又はデータパケットが前記第一のアクセスネットワーク装置に存在しないことを確定することを含むことを特徴とする
請求項６又は７に記載の方法。
【請求項９】
前記第一のアクセスネットワーク装置が、処理する必要がある前記端末装置のデータ又はデータパケットが前記第一のアクセスネットワーク装置に存在しないことを確定することは、
前記第一のアクセスネットワーク装置が、コアネットワーク装置から送信された第二の指示情報を受信し、前記第二の指示情報が、処理する必要がある前記端末装置のデータ又はデータパケットが前記第一のアクセスネットワーク装置に存在しないことを示すことに用いられることと、
前記第一のアクセスネットワーク装置が、前記第二の指示情報に基づき、処理する必要がある前記端末装置のデータ又はデータパケットが前記第一のアクセスネットワーク装置に存在しないことを確定することとを含むことを特徴とする
請求項８に記載の方法。
【請求項１０】
前記第一のアクセスネットワーク装置がコアネットワーク装置から送信された第二の指示情報を受信することは、
前記第一のアクセスネットワーク装置がコアネットワーク装置へルート切替情報を送信した後、前記第一のアクセスネットワーク装置が、前記コアネットワーク装置から送信された前記第二の指示情報を受信し、前記ルート切替情報が、前記端末装置のデータパケットの順序の維持を担うアクセスネットワーク装置を前記第一のアクセスネットワーク装置から前記第二のアクセスネットワーク装置に切り替えるように前記コアネットワーク装置に指示することに用いられることを含むことを特徴とする
請求項９に記載の方法。
【請求項１１】
前記方法はさらに、
前記第一のアクセスネットワーク装置が、前記第二のアクセスネットワーク装置から送信された第三の指示情報を受信し、前記第三の指示情報が、前記端末装置が前記第二のプロトコルスタックの配置を完了したことに用いられることと、
前記第一のアクセスネットワーク装置が、前記第三の指示情報に基づき、コアネットワーク装置へ前記ルート切替情報を送信することとを含むことを特徴とする
請求項１０に記載の方法。
【請求項１２】
前記第一の指示情報はさらに前記第一のプロトコルスタックを解放するように前記端末装置に指示することに用いられることを特徴とする
請求項７−１１に記載の方法。
【請求項１３】
前記第一の指示情報は無線リソース制御（ＲＲＣ）シグナリング、メディアアクセス制御（ＭＡＣ）シグナリング、ダウンリンク制御情報（ＤＣＩ）、データパケット内のビットのいずれかの一つであることを特徴とする
請求項７−１２のいずれか一項に記載の方法。
【請求項１４】
前記第一のアクセスネットワーク装置が、第二のプロトコルスタックを配置するように端末装置と第二のアクセスネットワーク装置をトリガすることは、
前記第一のアクセスネットワーク装置が、前記第二のアクセスネットワーク装置へ第一のトリガ情報を送信し、前記第一のトリガ情報が、前記第二のプロトコルスタックを配置するように前記第二のアクセスネットワーク装置にリクエストすることに用いられることと、
前記第一のアクセスネットワーク装置が、前記第二のアクセスネットワーク装置から送信された前記第一のトリガ情報の応答情報を受信することと、
前記第一のアクセスネットワーク装置が、前記応答情報に基づき、前記端末装置へ第二のトリガ情報を送信し、前記第二のトリガ情報が、前記第二のプロトコルスタックを配置するように前記端末装置に指示することに用いられることとを含むこととを特徴とする
請求項１−１３のいずれか一項に記載の方法。
【請求項１５】
前記第一のアクセスネットワーク装置はソースアクセスネットワーク装置であり、前記第二のアクセスネットワーク装置はターゲットアクセスネットワーク装置であり、又は前記第一のアクセスネットワーク装置は、マルチコネクション場面におけるプライマリアクセスネットワーク装置であり、前記第二のアクセスネットワーク装置は、前記マルチコネクション場面におけるセカンダリアクセスネットワーク装置であることを特徴とする
請求項１−１４のいずれか一項に記載の方法。
【請求項１６】
ハンドオーバー方法であって、
第二のアクセスネットワーク装置が、第一のアクセスネットワーク装置から送信された第一のトリガ情報を受信し、前記第一のトリガ情報が、第二のプロトコルスタックを配置するように前記第二のアクセスネットワーク装置をトリガすることに用いられ、前記第二のプロトコルスタックが、前記第二のアクセスネットワーク装置と前記端末装置のデータパケットの順序及び／又は前記第二のアクセスネットワーク装置と前記端末装置のデータパケットのセキュリティキーを維持することに用いられることと、
前記第二のアクセスネットワーク装置が、前記第一のアクセスネットワーク装置から送信された第二のトリガ情報を受信し、前記第二のトリガ情報が、前記第二のプロトコルスタックを使用して前記端末装置のデータパケットの順序を維持するように前記第二のアクセスネットワーク装置をトリガすることに用いられることとを含む、前記ハンドオーバー方法。
【請求項１７】
前記方法はさらに、
前記第二のアクセスネットワーク装置が前記第一のアクセスネットワーク装置から送信された前記第二のトリガ情報を受信する前に、前記第二のアクセスネットワーク装置が、前記第一のアクセスネットワーク装置から送信された、順次処理及び暗号化された第一のデータパケットを受信することと、
前記第二のアクセスネットワーク装置が、順次処理及び暗号化された前記第一のデータパケットを前記端末装置に転送することとを含むことを特徴とする
請求項１６に記載の方法。
【請求項１８】
前記方法はさらに、
前記第二のアクセスネットワーク装置が前記第一のアクセスネットワーク装置から送信された前記第二のトリガ情報を受信する前に、前記第二のアクセスネットワーク装置が、前記第一のアクセスネットワーク装置から送信された、順次処理された第二のデータパケットを受信することと、
前記第二のアクセスネットワーク装置が、前記第二のプロトコルスタックを使用し、前記第二のデータパケット又は前記第二のデータパケットのデータ部分を暗号化することと、
前記第二のアクセスネットワーク装置が、暗号化された前記第二のデータパケットを前記端末装置に送信することとを含むことを特徴とする
請求項１６又は１７に記載の方法。
【請求項１９】
前記方法はさらに、
前記第二のアクセスネットワーク装置が前記第一のアクセスネットワーク装置から送信された前記第二のトリガ情報を受信する前に、前記第二のアクセスネットワーク装置が、前記端末装置から送信された第三のデータパケットを受信することと、
前記第一のアクセスネットワーク装置が前記第三のデータパケット又は前記第三のデータパケットのデータ部分を復号及び順次処理することができるように、前記第二のアクセスネットワーク装置が、前記第一のアクセスネットワーク装置へ前記第三のデータパケットを転送することとを含むことを特徴とする
請求項１６に記載の方法。
【請求項２０】
前記方法はさらに、
前記第二のアクセスネットワーク装置が前記第一のアクセスネットワーク装置から送信された前記第二のトリガ情報を受信する前に、前記第二のアクセスネットワーク装置が、前記端末装置から送信された第四のデータパケットを受信することと、
前記第二のアクセスネットワーク装置が、前記第二のプロトコルスタックを使用し、前記第四のデータパケット又は前記第四のデータパケットのデータ部分を復号することと、
前記第一のアクセスネットワーク装置が復号された前記第四のデータパケットを順次処理することができるように、前記第二のアクセスネットワーク装置が、復号された前記第四のデータパケットを前記第一のアクセスネットワーク装置に送信することとを含むことを特徴とする
請求項１６又は１９に記載の方法。
【請求項２１】
前記方法はさらに、
前記第二のアクセスネットワーク装置が、端末装置から送信された第一の指示情報を受信し、前記第一の指示情報が、前記端末装置が既に前記第二のプロトコルスタックの配置を完了したことを示すことに用いられることと、
前記第二のアクセスネットワーク装置が、前記第一の指示情報に基づき、コアネットワーク装置へルート切替情報を送信すること、又は
前記第二のアクセスネットワーク装置が、前記第一の指示情報に基づき、コアネットワーク装置へルート切替情報を送信するように前記第一のアクセスネットワーク装置をトリガし、前記ルート切替情報が、前記端末装置のデータパケットの順序の維持を担うアクセスネットワーク装置を前記第一のアクセスネットワーク装置から前記第二のアクセスネットワーク装置に切り替えるように前記コアネットワーク装置に指示することに用いられることとを含むことを特徴とする
請求項１６−２０のいずれか一項に記載の方法。
【請求項２２】
前記方法はさらに、
前記第二のアクセスネットワーク装置が前記コアネットワーク装置へ前記ルート切替情報を送信した後、前記第二のアクセスネットワーク装置が、前記第一のアクセスネットワーク装置から送信された第二の指示情報を受信し、前記第二の指示情報が、前記第一のアクセスネットワーク装置に処理する必要がある前記端末装置のデータ又はデータパケットが存在しないことを示すことに用いられることを含むことを特徴とする
請求項２１に記載の方法。
【請求項２３】
前記第二のトリガ情報は無線リソース制御（ＲＲＣ）シグナリング、メディアアクセス制御（ＭＡＣ）シグナリング、ダウンリンク制御情報（ＤＣＩ）、データパケット内のビットのいずれかの一つであることを特徴とする
請求項１６−２２のいずれか一項に記載の方法。
【請求項２４】
前記第一のアクセスネットワーク装置はソースアクセスネットワーク装置であり、前記第二のアクセスネットワーク装置はターゲットアクセスネットワーク装置であり、又は前記第一のアクセスネットワーク装置は、マルチコネクション場面におけるプライマリアクセスネットワーク装置であり、前記第二のアクセスネットワーク装置は、前記マルチコネクション場面におけるセカンダリアクセスネットワーク装置であることを特徴とする
請求項１６−２３のいずれか一項に記載の方法。
【請求項２５】
ハンドオーバー方法であって、
端末装置が、第一のアクセスネットワーク装置から送信された第一のトリガ情報に基づき、第二のプロトコルスタックを配置し、前記第二のプロトコルスタックが、前記第二のアクセスネットワーク装置と前記端末装置のデータパケットの順序及び／又は前記第二のアクセスネットワーク装置と前記端末装置のデータパケットのセキュリティキーを維持することに用いられることと、
前記端末装置が、前記第一のアクセスネットワーク装置及び／又は前記第二のアクセスネットワーク装置から送信された第二のトリガ情報を受信する前に、前記端末装置は、第一のプロトコルスタックを使用して前記端末装置の処理待ちデータパケット又はデータを順次処理し、前記第二のトリガ情報が、前記第二のプロトコルスタックを使用して前記端末装置のデータパケットの順序を維持するように前記端末装置をトリガすることに用いられることとを含む、前記ハンドオーバー方法。
【請求項２６】
前記処理待ちデータが第一のデータを含み、前記端末装置が前記第一のアクセスネットワーク装置及び／又は前記第二のアクセスネットワーク装置から送信された第二のトリガ情報を受信する前に、前記端末装置が第一のプロトコルスタックを使用して前記端末装置の処理待ちデータパケット又はデータを順次処理することは、
前記端末装置が、前記第一のプロトコルスタックを使用して前記第一のデータを順次処理することを含み、
前記方法はさらに、
前記端末装置が、前記第一のプロトコルスタックを使用し、順次処理された前記第一のデータ又は前記第一のデータを含むデータパケットを暗号化することと、
前記端末装置が、前記第一のアクセスネットワーク装置及び／又は第二のアクセスネットワーク装置に暗号化された前記第一のデータを含むデータパケットを送信することとを含むことを特徴とする
請求項２５に記載の方法。
【請求項２７】
前記処理待ちデータパケットが第一のデータパケットを含み、前記端末装置が前記第一のアクセスネットワーク装置及び／又は前記第二のアクセスネットワーク装置から送信された第二のトリガ情報を受信する前に、前記端末装置が第一のプロトコルスタックを使用して前記端末装置の処理待ちデータパケット又はデータを順次処理することは、
前記端末装置が前記第一のアクセスネットワーク装置及び／又は前記第二のアクセスネットワーク装置から送信された第二のトリガ情報を受信する前に、前記端末装置が、前記第一のアクセスネットワーク装置及び／又は第二のアクセスネットワーク装置から送信された第一のデータパケットを受信することと、
前記端末装置が、前記第一のプロトコルスタックを使用して前記第一のデータパケット又は前記第一のデータパケットのデータ部分を復号することと、
前記端末装置が、前記第一のプロトコルスタックを使用し、復号された前記第一のデータパケットを順次処理することとを含むことを特徴とする
請求項２５に記載の方法。
【請求項２８】
前記処理待ちデータが第二のデータを含み、前記端末装置が前記第一のアクセスネットワーク装置及び／又は前記第二のアクセスネットワーク装置から送信された第二のトリガ情報を受信する前に、前記端末装置が第一のプロトコルスタックを使用して前記端末装置の処理待ちデータパケット又はデータを順次処理することは、
前記端末装置が、前記第一のプロトコルスタックを使用して前記第二のデータを順次処理することを含み、
前記方法はさらに、
前記端末装置が、前記第二のプロトコルスタックを使用し、順次処理された前記第二のデータ又は前記第二のデータを含むデータパケットを暗号化することと、
前記端末装置が、前記第二のネットワーク装置へ暗号化された、前記第二のデータを含むデータパケットを送信することとを含むことを特徴とする
請求項２５又は２６に記載の方法。
【請求項２９】
前記処理待ちデータパケットが第二のデータパケットを含み、前記端末装置が前記第一のアクセスネットワーク装置及び／又は前記第二のアクセスネットワーク装置から送信された第二のトリガ情報を受信する前に、前記端末装置が第一のプロトコルスタックを使用して前記端末装置の処理待ちデータパケット又はデータを順次処理することは、
前記端末装置が、前記第二のネットワーク装置から送信された前記第二のデータパケットを受信することと、
前記端末装置が、前記第二のプロトコルスタックを使用して前記第二のデータパケット又は前記第二のデータパケットのデータ部分を復号することと、
前記端末装置が、前記第一のプロトコルスタックを使用し、復号された前記第二のデータパケットを順次処理することとを含むことを特徴とする
請求項２５又は２７に記載の方法。
【請求項３０】
前記方法はさらに、
前記端末装置が前記第一のアクセスネットワーク装置及び／又は前記第二のアクセスネットワーク装置から送信された前記第二のトリガ情報を受信することと、
前記端末装置が、前記第二のトリガ情報に基づき、前記第二のプロトコルスタックを使用して前記端末装置のデータパケットの順序を維持することとを含むことを特徴とする
請求項２５−２９のいずれか一項に記載の方法。
【請求項３１】
前記第二のトリガ情報はさらに前記第一のプロトコルスタックを解放するように前記端末装置に指示することに用いられ、前記方法はさらに、
前記端末装置が、前記第二のトリガ情報に基づき、前記第一のプロトコルスタックを解放することを含むことを特徴とする
請求項３０に記載の方法。
【請求項３２】
前記第二のトリガ情報は無線リソース制御（ＲＲＣ）シグナリング、メディアアクセス制御（ＭＡＣ）シグナリング、ダウンリンク制御情報（ＤＣＩ）、データパケット内のビットのいずれかの一つであることを特徴とする
請求項２５−３１のいずれか一項に記載の方法。
【請求項３３】
前記第一のアクセスネットワーク装置はソースアクセスネットワーク装置であり、前記第二のアクセスネットワーク装置はターゲットアクセスネットワーク装置であり、又は前記第一のアクセスネットワーク装置は、マルチコネクション場面におけるプライマリアクセスネットワーク装置であり、前記第二のアクセスネットワーク装置は、前記マルチコネクション場面におけるセカンダリアクセスネットワーク装置であることを特徴とする
請求項２５−３２のいずれか一項に記載の方法。
【請求項３４】
第一のアクセスネットワーク装置であるアクセスネットワーク装置であって、
第二のプロトコルスタックを配置するように端末装置及び／又は第二のアクセスネットワーク装置をトリガするように構成され、前記第二のプロトコルスタックが、前記第二のアクセスネットワーク装置と前記端末装置のデータパケットの順序及び／又は前記第二のアクセスネットワーク装置と前記端末装置のデータパケットのセキュリティキーを維持することに用いられる第一のトリガユニットと、
前記第一のアクセスネットワーク装置が前記第二のプロトコルスタックを使用して前記端末装置のデータパケットの順序を維持するように前記端末装置及び／又は前記第二のアクセスネットワーク装置をトリガする前に、第一のプロトコルスタックを使用して前記端末装置の処理待ちデータパケットを順次処理するように構成される順次処理ユニットとを備える、前記アクセスネットワーク装置。
【請求項３５】
前記処理待ちデータパケットが第一のデータパケットを含み、前記順次処理ユニットは具体的に、
前記第一のアクセスネットワーク装置が前記第二のプロトコルスタックを使用して前記端末装置のデータパケットの順序を維持するように前記端末装置及び／又は前記第二のアクセスネットワーク装置をトリガする前に、前記端末装置から送信された前記第一のデータパケットを受信し、
前記第一のプロトコルスタックを使用して前記第一のデータパケット又は前記第一のデータパケットのデータ部分を復号し、
前記第一のプロトコルスタックを使用し、復号された前記第一のデータパケットを順次処理するように構成されることを特徴とする
請求項３４に記載のアクセスネットワーク装置。
【請求項３６】
前記処理待ちデータパケットが第二のデータパケットを含み、前記順次処理ユニットは具体的に、
前記第一のアクセスネットワーク装置が前記第二のプロトコルスタックを使用して前記端末装置のデータパケットの順序を維持するように前記端末装置及び／又は前記第二のアクセスネットワーク装置をトリガする前に、コアネットワーク装置から送信された前記第二のデータパケットのデータ部分を受信し、
前記第一のプロトコルスタックを使用して前記第二のデータパケットを順次処理するように構成され、
前記アクセスネットワーク装置はさらに、
前記第一のプロトコルスタックを使用し、順次処理された前記第二のデータパケット又は前記第二のデータパケットのデータ部分を暗号化するように構成される第一の暗号化ユニットを備えることを特徴とする
請求項３４に記載のアクセスネットワーク装置。
【請求項３７】
前記処理待ちデータパケットが第三のデータパケットを含み、前記順次処理ユニットは具体的に、
前記第一のアクセスネットワーク装置が前記第二のプロトコルスタックを使用して前記端末装置のデータパケットの順序を維持するように前記端末装置及び／又は前記第二のアクセスネットワーク装置をトリガする前に、前記第二のアクセスネットワーク装置から送信された、前記第二のアクセスネットワーク装置が前記第二のプロトコルスタックを使用して復号した前記第三のデータパケットを受信し、
復号された前記第三のデータパケットを順次処理するように構成されることを特徴とする
請求項３４又は３５に記載のアクセスネットワーク装置。
【請求項３８】
前記処理待ちデータパケットが第四のデータパケットを含み、前記順次処理ユニットは具体的に、
前記第一のアクセスネットワーク装置が前記第二のプロトコルスタックを使用して前記端末装置のデータパケットの順序を維持するように前記端末装置及び／又は前記第二のアクセスネットワーク装置をトリガする前に、コアネットワーク装置から送信された前記第四のデータパケットのデータ部分を受信し、
前記第一のプロトコルスタックを使用して前記第四のデータパケットを順次処理するように構成され、
前記アクセスネットワーク装置はさらに、
前記第二のアクセスネットワーク装置が前記第二のプロトコルスタックを使用し、順次処理された前記第四のデータパケット又は前記第四のデータパケットのデータ部分を暗号化することができるように、順次処理された前記第四のデータパケットを前記第二のアクセスネットワーク装置に送信するように構成される第二の暗号化ユニットを備えることを特徴とする
請求項３４又は３６に記載のアクセスネットワーク装置。
【請求項３９】
前記アクセスネットワーク装置はさらに、
前記第一のアクセスネットワーク装置が前記処理する必要がある前記端末装置のデータパケット又はデータが第一のアクセスネットワーク装置に存在しないことを確定した場合、前記第二のプロトコルスタックを使用して前記端末装置のデータパケットの順序を維持するように前記端末装置及び／又は前記第二のアクセスネットワーク装置をトリガするように構成される第二のトリガユニットを備えることを特徴とする
請求項３４−３８のいずれか一項に記載の方法。
【請求項４０】
前記第二のトリガユニットは具体的に、
前記第一のアクセスネットワーク装置が前記処理する必要がある前記端末装置のデータパケット又はデータが第一のアクセスネットワーク装置に存在しないことを確定した場合、前記端末装置及び／又は前記第二のアクセスネットワーク装置へ第一の指示情報を送信するように構成され、前記第一の指示情報が、前記第二のプロトコルスタックを使用して前記端末装置のデータパケットの順序を維持するように前記端末装置及び／又は前記第二のアクセスネットワーク装置に指示することに用いられることを特徴とする
請求項３９に記載のアクセスネットワーク装置。
【請求項４１】
前記アクセスネットワーク装置はさらに、
前記処理する必要がある前記端末装置のデータパケット又はデータが第一のアクセスネットワーク装置に存在しないことを確定するように構成される確定ユニットを備えることを特徴とする
請求項３９又は４０に記載のアクセスネットワーク装置。
【請求項４２】
前記確定ユニットは具体的に、
コアネットワーク装置から送信された第二の指示情報を受信し、前記第二の指示情報が、前記処理する必要がある前記端末装置のデータパケット又はデータが第一のアクセスネットワーク装置に存在しないことを示すことに用いられ、
前記第二の指示情報に基づき、前記処理する必要がある前記端末装置のデータパケット又はデータが第一のアクセスネットワーク装置に存在しないことを確定するように構成されることを特徴とする
請求項４１に記載のアクセスネットワーク装置。
【請求項４３】
前記確定ユニットは具体的に、
前記第一のアクセスネットワーク装置がコアネットワーク装置へルート切替情報を送信した後、前記コアネットワーク装置から送信された前記第二の指示情報を受信するように構成され、前記ルート切替情報が、前記端末装置のデータパケットの順序の維持を担うアクセスネットワーク装置を前記第一のアクセスネットワーク装置から前記第二のアクセスネットワーク装置に切り替えるように前記コアネットワーク装置に指示することに用いられることを含むことを特徴とする
請求項４２に記載のアクセスネットワーク装置。
【請求項４４】
前記アクセスネットワーク装置はさらに、
前記第二のアクセスネットワーク装置から送信された第三の指示情報を受信するように構成され、前記第三の指示情報が、前記端末装置が前記第二のプロトコルスタックの配置を完了したことに用いられる受信ユニットと、
前記第三の指示情報に基づき、前記コアネットワーク装置へ前記ルート切替情報を送信するように構成される送信ユニットとを備えることを特徴とする
請求項４３に記載のアクセスネットワーク装置。
【請求項４５】
前記第一の指示情報はさらに前記第一のプロトコルスタックを解放するように前記端末装置に指示することに用いられることを特徴とする
請求項４０−４４のいずれか一項に記載のアクセスネットワーク装置。
【請求項４６】
前記第一の指示情報は無線リソース制御（ＲＲＣ）シグナリング、メディアアクセス制御（ＭＡＣ）シグナリング、ダウンリンク制御情報（ＤＣＩ）、データパケット内のビットのいずれかの一つであることを特徴とする
請求項４０−４５のいずれか一項に記載のアクセスネットワーク装置。
【請求項４７】
前記第一のトリガユニットは具体的に、
前記第二のアクセスネットワーク装置へ第一のトリガ情報を送信し、前記第一のトリガ情報が、前記第二のプロトコルスタックを配置するように前記第二のアクセスネットワーク装置にリクエストすることに用いられ、
前記第二のアクセスネットワーク装置から送信された前記第一のトリガ情報の応答情報を受信し、
前記応答情報に基づき、前記端末装置へ第二のトリガ情報を送信するように構成され、前記第二のトリガ情報が、前記第二のプロトコルスタックを配置するように前記端末装置に指示することに用いられることを特徴とする
請求項３４−４６のいずれか一項に記載のアクセスネットワーク装置。
【請求項４８】
前記第一のアクセスネットワーク装置はソースアクセスネットワーク装置であり、前記第二のアクセスネットワーク装置はターゲットアクセスネットワーク装置であり、又は前記第一のアクセスネットワーク装置は、マルチコネクション場面におけるプライマリアクセスネットワーク装置であり、前記第二のアクセスネットワーク装置は、前記マルチコネクション場面におけるセカンダリアクセスネットワーク装置であることを特徴とする
請求項３４−４７のいずれか一項に記載のアクセスネットワーク装置。
【請求項４９】
第二のアクセスネットワーク装置であるアクセスネットワーク装置であって、
第一のアクセスネットワーク装置から送信された第一のトリガ情報を受信するように構成され、前記第一のトリガ情報が、第二のプロトコルスタックを配置するように前記第二のアクセスネットワーク装置をトリガすることに用いられ、第二のプロトコルスタックが、前記第二のアクセスネットワーク装置と端末装置のデータパケットの順序及び／又は前記第二のアクセスネットワーク装置と前記端末装置のデータパケットのセキュリティキーを維持することに用いられる第一の受信ユニットと、
前記第一のアクセスネットワーク装置から送信された第二のトリガ情報を受信するように構成され、前記第二のトリガ情報が、前記第二のプロトコルスタックを使用して前記端末装置のデータパケットの順序を維持するように前記第二のアクセスネットワーク装置をトリガすることに用いられる第二の受信ユニットとを備える、前記アクセスネットワーク装置。
【請求項５０】
前記アクセスネットワーク装置はさらに、
前記第二のアクセスネットワーク装置が前記第一のアクセスネットワーク装置から送信された前記第二のトリガ情報を受信する前に、前記第一のアクセスネットワーク装置から送信された、順次処理及び暗号化された第一のデータパケットを受信するように構成される第三の受信ユニットと、
順次処理及び暗号化された前記第一のデータパケットを前記端末装置に転送するように構成される第一の送信ユニットとを備えることを特徴とする
請求項４９に記載のアクセスネットワーク装置。
【請求項５１】
前記アクセスネットワーク装置はさらに、
前記第二のアクセスネットワーク装置が前記第一のアクセスネットワーク装置から送信された前記第二のトリガ情報を受信する前に、前記第一のアクセスネットワーク装置から送信された、順次処理された第二のデータパケットを受信するように構成される第四の受信ユニットと、
前記第二のプロトコルスタックを使用し、前記第二のデータパケット又は前記第二のデータパケットのデータ部分を暗号化するように構成される第一の暗号化ユニットと、
暗号化された前記第二のデータパケットを前記端末装置に転送するように構成される第二の送信ユニットとを備えることを特徴とする
請求項４９又は５０に記載のアクセスネットワーク装置。
【請求項５２】
前記アクセスネットワーク装置はさらに、
前記第二のアクセスネットワーク装置が前記第一のアクセスネットワーク装置から送信された前記第二のトリガ情報を受信する前に、前記端末装置から送信された第三のデータパケットを受信するように構成される第五の受信ユニットと、
前記第一のアクセスネットワーク装置が前記第三のデータパケット又は前記第三のデータパケットのデータ部分を復号及び順次処理することができるように、前記第一のアクセスネットワーク装置へ前記第三のデータパケットを転送するように構成される第三の送信ユニットとを備えることを特徴とする
請求項４９に記載のアクセスネットワーク装置。
【請求項５３】
前記アクセスネットワーク装置はさらに、
前記第二のアクセスネットワーク装置が前記第一のアクセスネットワーク装置から送信された前記第二のトリガ情報を受信する前に、前記端末装置から送信された第四のデータパケットを受信するように構成される第六の受信ユニットと、
前記第二のプロトコルスタックを使用し、前記第四のデータパケット又は前記第四のデータパケットのデータ部分を復号するように構成される第一の復号ユニットと、
前記第一のアクセスネットワーク装置が復号された前記第四のデータパケットを順次処理することができるように、復号された前記第四のデータパケットを前記第一のアクセスネットワーク装置に送信するように構成される第四の送信ユニットとを備えることを特徴とする
請求項４９又は５２に記載のアクセスネットワーク装置。
【請求項５４】
前記アクセスネットワーク装置はさらに、
端末装置から送信された第一の指示情報を受信するように構成され、前記第一の指示情報が、前記端末装置が既に前記第二のプロトコルスタックの配置を完了したことを示すことに用いられる第七の受信ユニットと、
前記第一の指示情報に基づき、コアネットワーク装置へルート切替情報を送信し、又は
前記第一の指示情報に基づき、コアネットワーク装置へルート切替情報を送信するように前記第一のアクセスネットワーク装置をトリガするように構成され、前記ルート切替情報が、前記端末装置のデータパケットの順序の維持を担うアクセスネットワーク装置を前記第一のアクセスネットワーク装置から前記第二のアクセスネットワーク装置に切り替えるように前記コアネットワーク装置に指示することに用いられる第五の送信ユニットとを備えることを特徴とする
請求項４９−５３のいずれか一項に記載のアクセスネットワーク装置。
【請求項５５】
前記アクセスネットワーク装置はさらに、
前記第七の送信ユニットが前記コアネットワーク装置へ前記ルート切替情報を送信した後、前記第二のアクセスネットワーク装置が前記第一のアクセスネットワーク装置から送信された第二の指示情報を受信するように構成され、前記第二の指示情報が、前記第一のアクセスネットワーク装置に処理する必要がある前記端末装置のデータ又はデータパケットが存在しないことを示すことに用いられる第八の受信ユニットを備えることを特徴とする
請求項５４に記載のアクセスネットワーク装置。
【請求項５６】
前記第二のトリガ情報は無線リソース制御（ＲＲＣ）シグナリング、メディアアクセス制御（ＭＡＣ）シグナリング、ダウンリンク制御情報（ＤＣＩ）、データパケット内のビットのいずれかの一つであることを特徴とする
請求項４９−５５のいずれか一項に記載のアクセスネットワーク装置。
【請求項５７】
前記第一のアクセスネットワーク装置はソースアクセスネットワーク装置であり、前記第二のアクセスネットワーク装置はターゲットアクセスネットワーク装置であり、又は前記第一のアクセスネットワーク装置は、マルチコネクション場面におけるプライマリアクセスネットワーク装置であり、前記第二のアクセスネットワーク装置は、前記マルチコネクション場面におけるセカンダリアクセスネットワーク装置であることを特徴とする請求項４９−５６のいずれか一項に記載のアクセスネットワーク装置。
【請求項５８】
端末装置であって、
第一のアクセスネットワーク装置から送信された第一のトリガ情報に基づき、第二のプロトコルスタックを配置するように構成され、前記第二のプロトコルスタックが、前記第二のアクセスネットワーク装置と前記端末装置のデータパケットの順序及び／又は前記第二のアクセスネットワーク装置と前記端末装置のデータパケットのセキュリティキーを維持することに用いられる配置ユニットと、
前記端末装置が前記第一のアクセスネットワーク装置及び／又は前記第二のアクセスネットワーク装置から送信された第二のトリガ情報を受信する前に、第一のプロトコルスタックを使用して前記端末装置の処理待ちデータパケット又はデータを順次処理するように構成され、前記第二のトリガ情報が、前記第二のプロトコルスタックを使用して前記端末装置のデータパケットの順序を維持するように前記端末装置をトリガすることに用いられる第一の順次処理ユニットとを備える、前記端末装置。
【請求項５９】
前記処理待ちデータが第一のデータを含み、前記第一の順次処理ユニットは具体的に、
前記第一のプロトコルスタックを使用して前記第一のデータを順次処理するように構成され、
前記端末装置はさらに、
前記第一のプロトコルスタックを使用し、順次処理された前記第一のデータ又は前記第一のデータを含むデータパケットを暗号化するように構成される第一の暗号化ユニットと、
暗号化された、前記第一のデータを含むデータパケットを前記第一のアクセスネットワーク装置に送信するように構成される第一の送信ユニットとを備えることを特徴とする
請求項５８に記載の端末装置。
【請求項６０】
前記処理待ちデータパケットが第一のデータパケットを含み、前記第一の順次処理ユニットは具体的に、
前記端末装置が前記第一のアクセスネットワーク装置及び／又は前記第二のアクセスネットワーク装置から送信された第二のトリガ情報を受信する前に、前記第一のアクセスネットワーク装置から送信された前記第二のデータパケットを受信し、
前記第一のプロトコルスタックを使用して前記第一のデータパケット又は前記第一のデータパケットのデータ部分を復号し、
前記第一のプロトコルスタックを使用し、復号された前記第一のデータパケットを順次処理するように構成されることを特徴とする
請求項５８に記載の端末装置。
【請求項６１】
前記処理待ちデータが第二のデータを含み、前記第一の順次処理ユニットは具体的に、
前記第一のプロトコルスタックを使用して前記第二のデータを順次処理するように構成され、
前記端末装置はさらに、
前記第二のプロトコルスタックを使用し、順次処理された前記第二のデータ又は前記第二のデータを含むデータパケットを暗号化するように構成される第二の暗号化ユニットと、
暗号化された、前記第二のデータを含むデータパケットを前記第二のアクセスネットワーク装置に送信するように構成される第二の送信ユニットとを備えることを特徴とする
請求項５８又は５９に記載の端末装置。
【請求項６２】
前記処理待ちデータパケットが第二のデータパケットを含み、前記第一の順次処理ユニットは具体的に、
前記第二のネットワーク装置から送信された前記第二のデータパケットを受信し、
前記第二のプロトコルスタックを使用して前記第二のデータパケット又は前記第二のデータパケットのデータ部分を復号し、
前記第一のプロトコルスタックを使用し、復号された前記第二のデータパケットを順次処理するように構成されることを特徴とする
請求項５８又は６０に記載の端末装置。
【請求項６３】
前記端末装置はさらに、
前記第一のアクセスネットワーク装置及び／又は前記第二のアクセスネットワーク装置から送信された前記第二のトリガ情報を受信するように構成される第一の受信ユニットと、
前記第二のトリガ情報に基づき、前記第二のプロトコルスタックを使用して前記端末装置のデータパケットの順序を維持するように構成される第二の順次処理ユニットとを備えることを特徴とする
請求項５８−６２のいずれか一項に記載の端末装置。
【請求項６４】
前記第二のトリガ情報はさらに前記第一のプロトコルスタックを解放するように前記端末装置に指示することに用いられ、前記端末装置はさらに、
前記第二のトリガ情報に基づき、前記第一のプロトコルスタックを解放するように構成される解放ユニットを備えることを特徴とする
請求項６３に記載の端末装置。
【請求項６５】
前記第二のトリガ情報は無線リソース制御（ＲＲＣ）シグナリング、メディアアクセス制御（ＭＡＣ）シグナリング、ダウンリンク制御情報（ＤＣＩ）、データパケット内のビットのいずれかの一つであることを特徴とする請求項５８−６４のいずれか一項に記載の端末装置。
【請求項６６】
前記第一のアクセスネットワーク装置はソースアクセスネットワーク装置であり、前記第二のアクセスネットワーク装置はターゲットアクセスネットワーク装置であり、又は前記第一のアクセスネットワーク装置は、マルチコネクション場面におけるプライマリアクセスネットワーク装置であり、前記第二のアクセスネットワーク装置は、前記マルチコネクション場面におけるセカンダリアクセスネットワーク装置であることを特徴とする請求項５８−６５のいずれか一項に記載の端末装置。
【発明の詳細な説明】
【技術分野】
【０００１】
本出願の実施例は、通信分野に関し、且つより具体的には、ハンドオーバー方法、アクセスネットワーク装置と端末装置に関する。
【背景技術】
【０００２】
従来の長期進化型（ＬＴＥ：Ｌｏｎｇ  Ｔｅｒｍ  Ｅｖｏｌｕｔｉｏｎ）システムでのハンドオーバープロセスは、ソースアクセスネットワーク装置が端末装置から報告された測定レポートに基づいてターゲットアクセスネットワーク装置へハンドオーバーリクエストを送信し、ハンドオーバーリクエストに対するターゲットアクセスネットワーク装置の応答を受信した後、端末装置へハンドオーバー命令を送信し、端末装置がハンドオーバー命令に応じて再構成を行い且つソースセルから離れてターゲットセルと同期し、端末装置とソースアクセスネットワークの間のデータに対して、ソースアクセスネットワーク装置がキャッシュされたデータをターゲットアクセスネットワーク装置に伝送する必要があり、ターゲットアクセスネットワーク装置と端末装置が同期を完了するまでしか、これらのデータが処理されることができない。この部分のデータについては、端末装置のハンドオーバー過程において必須の待ち遅延は長い。
【発明の概要】
【発明が解決しようとする課題】
【０００３】
これに鑑みて、本出願の実施例は、ハンドオーバープロセスにおける端末装置のデータ伝送の遅延を低減することに有利なハンドオーバー方法、アクセスネットワーク装置と端末装置を提供する。
【課題を解決するための手段】
【０００４】
第一の態様によるハンドオーバー方法は、第一のアクセスネットワーク装置が第二のプロトコルスタックを配置するように端末装置及び／又は第二のアクセスネットワーク装置をトリガし、該第二のプロトコルスタックが該第二のアクセスネットワーク装置と該端末装置のデータパケットの順序及び／又は該第二のアクセスネットワーク装置と該端末装置のデータパケットのセキュリティキーを維持することに用いられることと、該第一のアクセスネットワーク装置が該第二のプロトコルスタックを使用して該端末装置のデータパケットの順序を維持するように該端末装置及び／又は該第二のアクセスネットワーク装置をトリガする前に、該第一のアクセスネットワーク装置が第一のプロトコルスタックを使用して該第一のアクセスネットワーク装置と該端末装置の処理待ちデータパケットを順次処理することとを含む。
【０００５】
データパケットは一般的にヘッダーとデータ部分で構成され、ヘッダーが端末識別子を受信するためのフラグであり、データ部分が元のデータである。本出願の実施例におけるデータパケットはＰＤＣＰのプロトコルデータユニット（ＰＤＵ：Ｐｒｏｔｏｃｏｌ  Ｄａｔａ  Ｕｎｉｔ）を含むことができるがこれに限定されなく、データ部分がＰＤＣＰのサービスデータユニット（ＳＤＵ：Ｓｅｒｖｉｃｅ  Ｄａｔａ  Ｕｎｉｔ）を含むことができるがこれに限定されない。
【０００６】
選択可能に、第一のアクセスネットワーク装置は第一の端末装置のみをトリガすることができる。例えば、第一のアクセスネットワーク装置が第二の端末装置に接続された第二のアクセスネットワーク装置のカバレッジに移動し、第一の端末装置がデバイスツーデバイス（Ｄ２Ｄ：Ｄｅｖｉｃｅ−ｔｏ−Ｄｅｖｉｃｅ）で第二の端末装置に接続されてもよい場合、第一のネットワーク装置は第一の端末装置をトリガすることができ、第一の端末装置は新しいプロトコルスタックを確立するように第二のネットワーク装置を第二の端末装置によりトリガすることができる。
【０００７】
選択可能に、第一のアクセスネットワーク装置は第二のアクセスネットワーク装置のみをトリガすることもできる。例えば、第一のアクセスネットワーク装置が第二の端末装置に接続された第二のアクセスネットワーク装置のカバレッジに移動し、第一の端末装置がＤ２Ｄで第二の端末装置に接続されてもよい場合、第一のネットワーク装置は第二のネットワーク装置をトリガすることができ、第二のネットワーク装置は新しいプロトコルスタックを確立するように第一の端末装置を第二の端末装置によりトリガすることができる。
【０００８】
選択可能に、該第一のアクセスネットワーク装置が、第二のプロトコルスタックを配置するように端末装置と第二のアクセスネットワーク装置をトリガすることは、該第一のアクセスネットワーク装置が該第二のアクセスネットワーク装置へ第一のトリガ情報を送信し、該第一のトリガ情報が該第二のプロトコルスタックを配置するように該第二のアクセスネットワーク装置にリクエストすることに用いられることと、該第一のアクセスネットワーク装置が該第二のアクセスネットワーク装置から送信された該第一のトリガ情報の応答情報を受信することと、該第一のアクセスネットワーク装置が該応答情報に基づき、該端末装置へ第二のトリガ情報を送信し、該第二のトリガ情報が該第二のプロトコルスタックを配置するように該端末装置に指示することに用いられることとを含む。
【０００９】
第一のアクセスネットワーク装置が新しいプロトコルスタックを完全に使用する前に古いプロトコルスタックを引き続き使用してデータパケットの順序を維持するように端末装置及び／又は第二のアクセスネットワーク装置をトリガすることにより、端末装置のデータがタイムリーに処理されてもよく、それによってハンドオーバープロセスにおける端末装置のデータ伝送の遅延を低減する。
【００１０】
一つの可能な実施形態では、該処理待ちデータパケットが第一のデータパケットを含み、該第一のアクセスネットワーク装置が該第二のプロトコルスタックを使用して該端末装置のデータパケットの順序を維持するように該端末装置及び／又は該第二のアクセスネットワーク装置をトリガする前に、該第一のアクセスネットワーク装置が第一のプロトコルスタックを使用して該第一のアクセスネットワーク装置と該端末装置の処理待ちデータパケットを順次処理することは、該第一のアクセスネットワーク装置が該第二のプロトコルスタックを使用して該端末装置のデータパケットの順序を維持するように該端末装置及び／又は該第二のアクセスネットワーク装置をトリガする前に、該第一のアクセスネットワーク装置が該端末装置から送信された該第一のデータパケットを受信することと、該第一のアクセスネットワーク装置が該第一のプロトコルスタックを使用して該第一のデータパケット又は該第一のデータパケットのデータ部分を使用して復号することと、該第一のアクセスネットワーク装置が該第一のプロトコルスタックを使用し、復号された該第一のデータパケットを順次処理することとを含む。
【００１１】
一つの可能な実施形態では、該処理待ちデータパケットが第二のデータパケットを含み、該第一のアクセスネットワーク装置が該第二のプロトコルスタックを使用して該端末装置のデータパケットの順序を維持するように該端末装置及び／又は該第二のアクセスネットワーク装置をトリガする前に、該第一のアクセスネットワーク装置が第一のプロトコルスタックを使用して該第一のアクセスネットワーク装置と該端末装置の処理待ちデータパケットを順次処理することは、該第一のアクセスネットワーク装置が該第二のプロトコルスタックを使用して該端末装置のデータパケットの順序を維持するように該端末装置及び／又は該第二のアクセスネットワーク装置をトリガする前に、該第一のアクセスネットワーク装置がコアネットワーク装置から送信された該第二のデータパケットのデータ部分を受信することと、該第一のアクセスネットワーク装置が第一のプロトコルスタックを使用して該第二のデータパケットを順次処理することとを含み、該方法はさらに、該第一のアクセスネットワーク装置が該第一のプロトコルスタックを使用し、順次処理された該第二のデータパケット又は該第二のデータパケットのデータ部分を暗号化することを含む。
【００１２】
一つの可能な実施形態では、該処理待ちデータパケットが第三のデータパケットを含み、該第一のアクセスネットワーク装置が該第二のプロトコルスタックを使用して該端末装置のデータパケットの順序を維持するように該端末装置及び／又は該第二のアクセスネットワーク装置をトリガする前に、該第一のアクセスネットワーク装置が第一のプロトコルスタックを使用して該第一のアクセスネットワーク装置と該端末装置の処理待ちデータパケットを順次処理することは、該第一のアクセスネットワーク装置が該第二のプロトコルスタックを使用して該端末装置のデータパケットの順序を維持するように該端末装置及び／又は該第二のアクセスネットワーク装置をトリガする前に、該第一のアクセスネットワーク装置が第二のアクセスネットワーク装置から送信された、該第二のアクセスネットワーク装置が該第二のプロトコルスタックを使用して復号した第三のデータパケットを受信することと、該第一のアクセスネットワーク装置が復号された該第三のデータパケットを順次処理することとを含む。
【００１３】
一つの可能な実施形態では、該処理待ちデータパケットが第四のデータパケットを含み、該第一のアクセスネットワーク装置が該第二のプロトコルスタックを使用して該端末装置のデータパケットの順序を維持するように該端末装置及び／又は該第二のアクセスネットワーク装置をトリガする前に、該第一のアクセスネットワーク装置が第一のプロトコルスタックを使用して該第一のアクセスネットワーク装置と該端末装置の処理待ちデータパケットを順次処理することは、該第一のアクセスネットワーク装置が該第二のプロトコルスタックを使用して該端末装置のデータパケットの順序を維持するように該端末装置及び／又は該第二のアクセスネットワーク装置をトリガする前に、該第一のアクセスネットワーク装置がコアネットワーク装置から送信された該第四のデータパケットのデータ部分を受信することと、該第一のアクセスネットワーク装置が該第一のプロトコルスタックを使用して該第四のデータパケットを順次処理することとを含み、該方法はさらに、該第二のアクセスネットワーク装置が該第二のプロトコルスタックを使用し、順次処理された該第二のデータパケット又は該第二のデータパケットのデータ部分を暗号化するように、該第一のアクセスネットワーク装置が該第二のアクセスネットワーク装置へ順次処理された該第四のデータパケットを送信することを含む。
【００１４】
一つの可能な実施形態では、該方法はさらに該第一のアクセスネットワーク装置が、処理する必要がある該端末装置のデータパケット又はデータが該第一のアクセスネットワーク装置に存在しないことを確定した場合、該第一のアクセスネットワーク装置が該第二のプロトコルスタックを使用して該端末装置のデータパケットの順序を維持するように該端末装置及び／又は該第二のアクセスネットワーク装置をトリガすることを含む。
【００１５】
一つの可能な実施形態では、該第一のアクセスネットワーク装置が、処理する必要がある該端末装置のデータパケット又はデータが該第一のアクセスネットワーク装置に存在しないことを確定した場合、該第一のアクセスネットワーク装置が該第二のプロトコルスタックを使用して該端末装置のデータパケットの順序を維持するように端末装置をトリガすることは、該第一のアクセスネットワーク装置が、処理する必要がある該端末装置のデータパケット又はデータが該第一のアクセスネットワーク装置に存在しないことを確定した場合、該第一のアクセスネットワーク装置が該端末装置へ第一の指示情報を送信し、該第一の指示情報が該第二のプロトコルスタックを使用して該端末装置のデータパケットの順序を維持するように該端末装置に指示することに用いられることを含む。
【００１６】
一つの可能な実施形態では、該第一の指示情報はさらに該第一のプロトコルスタックを解放するように該端末装置に指示することに用いられる。
【００１７】
一つの可能な実施形態では、該第一の指示情報は、無線リソース制御（ＲＲＣ）シグナリング、メディアアクセス制御（ＭＡＣ）シグナリング、ダウンリンク制御情報（ＤＣＩ）、データパケット内のビットのいずれかの一つである。
【００１８】
一つの可能な実施形態では、該第一のアクセスネットワーク装置が、処理する必要がある該端末装置のデータパケット又はデータが該第一のアクセスネットワーク装置に存在しないことを確定した場合、該第一のアクセスネットワーク装置が該第二のプロトコルスタックを使用して該端末装置のデータパケットの順序を維持するように第二のアクセスネットワーク装置をトリガすることは、該第一のアクセスネットワーク装置が、処理する必要がある該端末装置のデータパケットが該第一のアクセスネットワーク装置に存在しないことを確定した場合、該第一のアクセスネットワーク装置が該第二のアクセスネットワーク装置へ第二の指示情報を送信し、該第二の指示情報が該第二のプロトコルスタックを使用して該端末装置のデータパケットの順序を維持するように該第二のアクセスネットワーク装置に指示することに用いられることを含む。
【００１９】
一つの可能な実施形態では、該方法はさらに該第一のアクセスネットワーク装置が、処理する必要がある該端末装置のデータパケットが該第一のアクセスネットワーク装置に存在しないことを確定することを含む。
【００２０】
一つの可能な実施形態では、該第一のアクセスネットワーク装置が、処理する必要がある該端末装置のデータパケット又はデータが該第一のアクセスネットワーク装置に存在しないことを確定することは、該第一のアクセスネットワーク装置がコアネットワーク装置から送信された第三の指示情報を受信し、該第三の指示情報が、処理する必要がある該端末装置のデータパケットが該第一のアクセスネットワーク装置に存在しないことを示すことに用いられることと、該第一のアクセスネットワーク装置が該第三の指示情報に基づき、処理する必要がある該端末装置のデータパケット又はデータが該第一のアクセスネットワーク装置に存在しないことを確定することとを含む。
【００２１】
該第三の指示情報は終了マーカー（ｅｎｄ  ｍａｒｋｅｒ）であってもよい。
【００２２】
一つの可能な実施形態では、該方法はさらに該第一のアクセスネットワーク装置が該第二のアクセスネットワーク装置から送信された第四の指示情報を受信し、該第四の指示情報が該第二のプロトコルスタックの配置を完了するように該端末装置に指示することに用いられることと、該第一のアクセスネットワーク装置が該第四の指示情報に基づき、コアネットワーク装置へルート切替情報を送信し、該ルート切替情報が該端末装置のデータパケットの順序の維持を担うアクセスネットワーク装置を該第一のアクセスネットワーク装置から該第二のアクセスネットワーク装置に切り替えるように該コアネットワーク装置に指示することに用いられることとを含む。
【００２３】
選択可能に、一つの可能な実施形態では、該第一のアクセスネットワーク装置がコアネットワーク装置から送信された第三の指示情報を受信することは、該第一のアクセスネットワーク装置がコアネットワーク装置へルート切替情報を送信した後、該第一のアクセスネットワーク装置が該コアネットワーク装置から送信された該第三の指示情報を受信することを含む。
【００２４】
一つの可能な実施形態では、該第一のアクセスネットワーク装置はソースアクセスネットワーク装置であり、該第二のアクセスネットワーク装置はターゲットアクセスネットワーク装置であり、又は該第一のアクセスネットワーク装置は、マルチコネクション場面におけるプライマリアクセスネットワーク装置であり、該第二のアクセスネットワーク装置は該マルチコネクション場面のセカンダリアクセスネットワーク装置である。
【００２５】
第二の態様によるハンドオーバー方法は、第二のアクセスネットワーク装置が第一のアクセスネットワーク装置から送信された第一のトリガ情報を受信し、該第一のトリガ情報が第二のプロトコルスタックを配置するように該第二のアクセスネットワーク装置をトリガすることに用いられ、該第二のプロトコルスタックが該第二のアクセスネットワーク装置と端末装置のデータパケットの順序及び／又は該第二のアクセスネットワーク装置と該端末装置のデータパケットのセキュリティキーを維持することに用いられることと、該第二のアクセスネットワーク装置が該第一のアクセスネットワーク装置から送信された第二のトリガ情報を受信し、該第二のトリガ情報が該第二のプロトコルスタックを使用して該端末装置のデータパケットの順序を維持するように該第二のアクセスネットワーク装置をトリガすることに用いられることとを含む。
【００２６】
一つの可能な実施形態では、該方法はさらに該第二のアクセスネットワーク装置が該第一のアクセスネットワーク装置から送信された該第二のトリガ情報を受信する前に、該第二のアクセスネットワーク装置が順次処理及び暗号化された第一のデータパケットを該第一のアクセスネットワーク装置に送信することと、該第二のアクセスネットワーク装置が順次処理及び暗号化された該第一のデータパケットを該端末装置に転送することとを含む。
【００２７】
一つの可能な実施形態では、該方法はさらに該第二のアクセスネットワーク装置が該第一のアクセスネットワーク装置から送信された該第二のトリガ情報を受信する前に、該第二のアクセスネットワーク装置が該第一のアクセスネットワーク装置から送信された、順次処理された第二のデータパケットを受信することと、該第二のアクセスネットワーク装置が該第二のプロトコルスタックを使用して該第二のデータパケット又は該第二のデータパケットのデータ部分を暗号化することと、該第二のアクセスネットワーク装置が該端末装置へ暗号化された該第二のデータパケットを送信することとを含む。
【００２８】
一つの可能な実施形態では、該方法はさらに該第二のアクセスネットワーク装置が該第一のアクセスネットワーク装置から送信された該第二のトリガ情報を受信する前に、該第二のアクセスネットワーク装置が該端末装置から送信された第三のデータパケットを受信することと、該第一のアクセスネットワーク装置が該第三のデータパケット又は該第三のデータパケットのデータ部分を復号及び順次処理することができるように、該第二のアクセスネットワーク装置が該第一のアクセスネットワーク装置へ該第三のデータパケットを転送することとを含む。
【００２９】
一つの可能な実施形態では、該方法はさらに該第二のアクセスネットワーク装置が該第一のアクセスネットワーク装置から送信された該第二のトリガ情報を受信する前に、該第二のアクセスネットワーク装置が該端末装置から送信された第四のデータパケットを受信することと、該第二のアクセスネットワーク装置が該第二のプロトコルスタックを使用して該第四のデータパケット又は該第四のデータパケットのデータ部分を復号することと、該第一のアクセスネットワーク装置が復号された該第四のデータパケットを順次処理することができるように、該第二のアクセスネットワーク装置が該第一のアクセスネットワーク装置へ復号された該第四のデータパケットを送信することとを含む。
【００３０】
一つの可能な実施形態では、該方法はさらに該第二のアクセスネットワーク装置が端末装置から送信された第一の指示情報を受信し、該第一の指示情報が該第二のプロトコルスタックの配置を完了するように該端末装置に指示することに用いられることと、該第二のアクセスネットワーク装置が該第一の指示情報に基づき、コアネットワーク装置へルート切替情報を送信すること、又は該第二のアクセスネットワーク装置が該第一の指示情報に基づき、コアネットワーク装置へルート切替情報を送信するように該第一のアクセスネットワーク装置をトリガし、該ルート切替情報が該端末装置のデータパケットの順序の維持を担うアクセスネットワーク装置を該第一のアクセスネットワーク装置から該第二のアクセスネットワーク装置に切り替えるように該コアネットワーク装置に指示することに用いられることとを含む。
【００３１】
一つの可能な実施形態では、該第二のトリガ情報は、無線リソース制御（ＲＲＣ）シグナリング、メディアアクセス制御（ＭＡＣ）シグナリング、ダウンリンク制御情報（ＤＣＩ）、データパケット内のビットのいずれかの一つである。
【００３２】
一つの可能な実施形態では、該第一のアクセスネットワーク装置はソースアクセスネットワーク装置であり、該第二のアクセスネットワーク装置はターゲットアクセスネットワーク装置であり、又は該第一のアクセスネットワーク装置は、マルチコネクション場面におけるプライマリアクセスネットワーク装置であり、該第二のアクセスネットワーク装置は該マルチコネクション場面のセカンダリアクセスネットワーク装置である。
【００３３】
第三の態様によるハンドオーバー方法は、端末装置が第一のアクセスネットワーク装置から送信された第一のトリガ情報に基づき、第二のプロトコルスタックを配置し、該第二のトリガ情報が該第二のアクセスネットワーク装置と該端末装置のデータパケットの順序及び／又は該第二のアクセスネットワーク装置と該端末装置のデータパケットのセキュリティキーを維持することに用いられることと、該端末装置が該第一のアクセスネットワーク装置及び／又は該第二のアクセスネットワーク装置から送信された第二のトリガ情報を受信する前に、該端末装置が第一のプロトコルスタックを使用して該端末装置の処理待ちデータパケットを順次処理し、該第二のトリガ情報が該第二のプロトコルスタックを使用して該端末装置のデータパケットの順序を維持するように該端末装置をトリガすることに用いられることとを含む。
【００３４】
一つの可能な実施形態では、前記処理待ちデータが第一のデータを含み、前記端末装置が前記第一のアクセスネットワーク装置及び／又は前記第二のアクセスネットワーク装置から送信された第二のトリガ情報を受信する前に、前記端末装置が第一のプロトコルスタックを使用して前記端末装置の処理待ちデータパケット又はデータを順次処理することは、前記端末装置が前記第一のプロトコルスタックを使用して前記第一のデータを順次処理することを含み、前記方法はさらに前記端末装置が前記第一のプロトコルスタックを使用し、順次処理された前記第一のデータ又は前記第一のデータを含むデータパケットを暗号化することと、前記端末装置が前記第一のアクセスネットワーク装置及び／又は第二のアクセスネットワーク装置に、暗号化された、前記第一のデータを含むデータパケットを送信することとを含む。
【００３５】
一つの可能な実施形態では、前記処理待ちデータパケットが第一のデータパケットを含み、前記端末装置が前記第一のアクセスネットワーク装置及び／又は前記第二のアクセスネットワーク装置から送信された第二のトリガ情報を受信する前に、前記端末装置が第一のプロトコルスタックを使用して前記端末装置の処理待ちデータパケット又はデータを順次処理することは、前記端末装置が前記第一のアクセスネットワーク装置及び／又は前記第二のアクセスネットワーク装置から送信された第二のトリガ情報を受信する前に、前記端末装置が前記第一のアクセスネットワーク装置及び／又は第二のアクセスネットワーク装置から送信された第一のデータパケットを受信することと、前記端末装置が前記第一のプロトコルスタックを使用して前記第一のデータパケット又は前記第一のデータパケットのデータ部分を復号することと、前記端末装置が前記第一のプロトコルスタックを使用し、復号された前記第一のデータを順次処理することとを含む。
【００３６】
一つの可能な実施形態では、前記処理待ちデータが第二のデータを含み、前記端末装置が前記第一のアクセスネットワーク装置及び／又は前記第二のアクセスネットワーク装置から送信された第二のトリガ情報を受信する前に、前記端末装置が第一のプロトコルスタックを使用して前記端末装置の処理待ちデータパケット又はデータを順次処理することは、前記端末装置が前記第一のプロトコルスタックを使用して前記第二のデータを順次処理することを含み、前記方法はさらに前記端末装置が前記第二のプロトコルスタックを使用し、順次処理された前記第二のデータ又は前記第二のデータを含むデータパケットを暗号化することと、前記端末装置が前記第二のアクセスネットワーク装置に、暗号化された、前記第二のデータを含むデータパケットを送信することとを含む。
【００３７】
一つの可能な実施形態では、前記処理待ちデータパケットが第二のデータパケットを含み、前記端末装置が前記第一のアクセスネットワーク装置及び／又は前記第二のアクセスネットワーク装置から送信された第二のトリガ情報を受信する前に、前記端末装置が第一のプロトコルスタックを使用して前記端末装置の処理待ちデータパケット又はデータを順次処理することは、前記端末装置が前記第二のネットワーク装置から送信された前記第二のデータパケットを受信することと、前記端末装置が前記第二のプロトコルスタックを使用して前記第二のデータパケット又は前記第二のデータパケットのデータ部分を復号することと、前記端末装置が前記第一のプロトコルスタックを使用し、復号された前記第二のデータパケットを順次処理することとを含む。
【００３８】
一つの可能な実施形態では、該方法はさらに該端末装置が該第一のアクセスネットワーク装置及び／又は該第二のアクセスネットワーク装置から送信された該第二のトリガ情報を受信することと、該端末装置が該第二のトリガ情報に基づき、該第二のプロトコルスタックを使用して該端末装置のデータパケットの順序を維持することとを含む。
【００３９】
一つの可能な実施形態では、該第二のトリガ情報はさらに該第一のプロトコルスタックを解放するように該端末装置に指示することに用いられ、該方法はさらに該端末装置が該第二のトリガ情報に基づき、該第一のプロトコルスタックを解放することを含む。
【００４０】
一つの可能な実施形態では、該第二のトリガ情報は、無線リソース制御（ＲＲＣ）シグナリング、メディアアクセス制御（ＭＡＣ）シグナリング、ダウンリンク制御情報（ＤＣＩ）、データパケット内のビットのいずれかの一つである。
【００４１】
一つの可能な実施形態では、該第一のアクセスネットワーク装置はソースアクセスネットワーク装置であり、該第二のアクセスネットワーク装置はターゲットアクセスネットワーク装置であり、又は該第一のアクセスネットワーク装置は、マルチコネクション場面におけるプライマリアクセスネットワーク装置であり、該第二のアクセスネットワーク装置は該マルチコネクション場面のセカンダリアクセスネットワーク装置である。
【００４２】
第四の態様によるアクセスネットワーク装置は、上記第一の態様又は第一の態様のいずれかの可能な実施形態における方法を実行することに用いられる。具体的には、該アクセスネットワーク装置は、上記第一の態様又は第一の態様のいずれかの可能な実施形態における方法を実行するためのユニットを備える。
【００４３】
第五の態様によるアクセスネットワーク装置は、上記第二の態様又は第二の態様のいずれかの可能な実施形態における方法を実行することに用いられる。具体的には、該アクセスネットワーク装置は、上記第二の態様又は第二の態様のいずれかの可能な実施形態における方法を実行するためのユニットを備える。
【００４４】
第六の態様による端末装置は上記第三の態様又は第三の態様のいずれかの可能な実施形態における方法を実行することに用いられる。具体的には、該端末装置は、上記第三の態様又は第三の態様のいずれかの可能な実施形態における方法を実行するためのユニットを備える。
【００４５】
第七の態様によるアクセスネットワーク装置は、メモリ、プロセッサ、入力インタフェースと出力インタフェースを備える。ここで、メモリ、プロセッサ、入力インタフェースと出力インタフェースはバスシステムを介して接続される。該メモリは命令を記憶するように構成され、該プロセッサは該メモリに記憶された、上記第一の態様又は第一の態様のいずれかの可能な実施形態における方法を実行するための命令を実行するように構成される。
【００４６】
第八の態様によるアクセスネットワーク装置は、メモリ、プロセッサ、入力インタフェースと出力インタフェースを備える。ここで、メモリ、プロセッサ、入力インタフェースと出力インタフェースはバスシステムを介して接続される。該メモリは命令を記憶するように構成され、該プロセッサは該メモリに記憶された、上記第二の態様又は第二の態様のいずれかの可能な実施形態における方法を実行するための命令を実行するように構成する。
【００４７】
第九の態様による端末装置は、メモリ、プロセッサ、入力インタフェースと出力インタフェースを備える。ここで、メモリ、プロセッサ、入力インタフェースと出力インタフェースはバスシステムを介して接続される。該メモリは命令を記憶するように構成され、該プロセッサは該メモリに記憶された、上記第三の態様又は第三の態様のいずれかの可能な実施形態における方法を実行するための命令を実行するように構成する。
【００４８】
第十の態様によるコンピュータ記憶媒体は、上記第一の態様又は第一の態様のいずれかの可能な実施形態における方法、又は上記第二の態様又は第二の態様のいずれかの可能な実施形態における方法、又は上記第三の態様又は第三の態様のいずれかの可能な実施形態における方法を実行するための、上記態様を実行するために設計されたプログラムを含むコンピュータソフトウエア命令を記憶することに用いられる。
【００４９】
第十一の態様による命令を含むコンピュータプログラム製品は、コンピュータで実行される場合、コンピュータが上記第一の態様又は第一の態様の任意の選択可能な実施形態における方法、又は上記第二の態様又は第二の態様の任意の選択可能な実施形態における方法、又は上記第三の態様又は第三の態様のいずれかの選択可能な実施形態における方法を実行する。
【００５０】
本出願のこれらの態様又は他の態様は以下の実施例の説明からより容易に明らかになる。
【図面の簡単な説明】
【００５１】
【図１】本出願の実施例の一つの応用シーンを示す概略図である。
【図２】本出願の実施例の別の応用シーンを示す概略図である。
【図３】ＬＴＥハンドオーバーを示す概略フローチャートである。
【図４】本出願の実施例によるハンドオーバー方法を示す概略ブロック図である。
【図５】本出願の実施例によるハンドオーバー方法のプロトコルスタックを示す実現ブロック図である。
【図６】本出願の実施例によるハンドオーバー方法のプロトコルスタックを示す別の実現ブロック図である。
【図７】本出願の実施例によるハンドオーバー方法の別のプロトコルスタックを示す別の実現ブロック図である。
【図８】本出願の実施例によるハンドオーバー方法の別のプロトコルスタックを示す別の実現ブロック図である。
【図９】本出願の実施例によるハンドオーバー方法を示す別の概略ブロック図である。
【図１０】本出願の実施例によるハンドオーバー方法を示す別の概略ブロック図である。
【図１１】本出願の実施例によるアクセスネットワーク装置を示す概略ブロック図である。
【図１２】本出願の実施例によるアクセスネットワーク装置を示す別の概略ブロック図である。
【図１３】本出願の実施例による端末装置を示す概略ブロック図である。
【図１４】本出願の実施例によるアクセスネットワーク装置を示す別の概略ブロック図である。
【図１５】本出願の実施例によるアクセスネットワーク装置を示す別の概略ブロック図である。
【図１６】本出願の実施例による端末装置を示す別の概略ブロック図である。
【発明を実施するための形態】
【００５２】
以下に本出願の実施例における図面と組み合わせながら、本出願の実施例における技術的解決策を明確に、全面的に説明する。
【００５３】
理解すべきものとして、本出願の実施例の技術的解決策は様々な通信システム、例えばグローバルモバイル通信（ＧＳＭ：Ｇｌｏｂａｌ  Ｓｙｓｔｅｍ  ｆｏｒ  Ｍｏｂｉｌｅ  Ｃｏｍｍｕｎｉｃａｔｉｏｎ）システム、符号分割多元アクセス（ＣＤＭＡ：Ｃｏｄｅ  Ｄｉｖｉｓｉｏｎ  Ｍｕｌｔｉｐｌｅ  Ａｃｃｅｓｓ）システム、帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、ＬＴＥシステム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）、汎用移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、グローバル相互接続マイクロ波アクセス（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム、新しい無線（ＮＲ：Ｎｅｗ  Ｒａｄｉｏ）又は将来の５Ｇシステムなどに応用されてもよい。
【００５４】
特に、本出願の実施例の技術的解決策は非直交マルチアクセス技術に基づく様々な通信システム、例えばスパースコードマルチアクセス（ＳＣＭＡ：Ｓｐａｒｓｅ  Ｃｏｄｅ  Ｍｕｌｔｉｐｌｅ  Ａｃｃｅｓｓ）システム、低密度署名（ＬＤＳ：Ｌｏｗ  Ｄｅｎｓｉｔｙ  Ｓｉｇｎａｔｕｒｅ）システムなどに応用されてもよく、当然、ＳＣＭＡシステムとＬＤＳシステムが通信分野において他の名称と呼ばれてもよく、さらに、本出願の実施例の技術的解決策は非直交マルチアクセス技術を用いたマルチ搬送波伝送システム、例えば非直交マルチアクセス技術を用いた直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）、フィルターバンクマルチ搬送波（ＦＢＭＣ：Ｆｉｌｔｅｒ  Ｂａｎｋ  Ｍｕｌｔｉ−Ｃａｒｒｉｅｒ）、汎用周波数分割多重（ＧＦＤＭ：Ｇｅｎｅｒａｌｉｚｅｄ  Ｆｒｅｑｕｅｎｃｙ  Ｄｉｖｉｓｉｏｎ  Ｍｕｌｔｉｐｌｅｘｉｎｇ）、フィルタ直交周波数分割多重（Ｆ−ＯＦＤＭ：Ｆｉｌｔｅｒｅｄ−ＯＦＤＭ）システムなどに応用されてもよい。
【００５５】
本出願の実施例における端末装置はユーザ装置（ＵＥ：Ｕｓｅｒ  Ｅｑｕｉｐｍｅｎｔ）、アクセス端末、加入者ユニット、加入者局、移動局、移動ステーション、遠隔局、遠隔端末、移動装置、ユーザ端末、端末、無線通信装置、ユーザエージェント又はユーザ装置を指すことができる。アクセス端末はセルラー電話、コードレス電話、セッション開始プロトコル（ＳＩＰ：Ｓｅｓｓｉｏｎ  Ｉｎｉｔｉａｔｉｏｎ  Ｐｒｏｔｏｃｏｌ）電話、無線ローカルループ（ＷＬＬ：Ｗｉｒｅｌｅｓｓ  Ｌｏｃａｌ  Ｌｏｏｐ）サイト、パーソナルデジタル処理（ＰＤＡ：Ｐｅｒｓｏｎａ１  Ｄｉｇｉｔａ１  Ａｓｓｉｓｔａｎｔ）、無線通信機能を備えたハンドヘルドデバイス、コンピューティングデバイス又は無線モデムに接続された他の処理装置、車載デバイス、ウェアラブルデバイス、将来の５Ｇネットワークにおける端末装置又は将来の進化した公衆陸上モバイルネットワーク（ＰＬＭＮ：Ｐｕｂｌｉｃ  Ｌａｎｄ  Ｍｏｂｉｌｅ  Ｎｅｔｗｏｒｋ）における端末装置などであってもよく、本出願の実施例では限定されない。
【００５６】
本出願の実施例におけるネットワーク装置は端末装置と通信するための装置であってもよく、該ネットワーク装置はＧＳＭ又はＣＤＭＡにおける基地局（ＢＴＳ：Ｂａｓｅ  Ｔｒａｎｓｃｅｉｖｅｒ  Ｓｔａｔｉｏｎ）であってもよいし、ＷＣＤＭＡシステムにおける基地局（ＮＢ：ＮｏｄｅＢ）であってもよいし、ＬＴＥシステムにおける進化型基地局（ｅＮＢ又はｅＮｏｄｅＢ：Ｅｖｏｌｕｔｉｏｎａｌ  ＮｏｄｅＢ）であってもよいし、クラウド無線アクセスネットワーク（ＣＲＡＮ：Ｃｌｏｕｄ  Ｒａｄｉｏ  Ａｃｃｅｓｓ  Ｎｅｔｗｏｒｋ）シーンにおける無線コントローラであってもよく、又は該ネットワーク装置は中継局、アクセスポイント、車載デバイス、ウェアラブルデバイス及び将来の５Ｇネットワークにおけるネットワーク装置又は将来の進化したＰＬＭＮネットワークにおけるネットワーク装置などであってもよく、本出願の実施例では限定されない。
【００５７】
図１は本出願の実施例の一つの応用シーンを示す概略図である。図１における通信システムは端末装置１０とネットワーク装置２０を備えることができる。ネットワーク装置２０は端末装置１０に通信サービスを提供することに用いられ且つコアネットワークにアクセスし、端末装置１０はネットワーク装置２０から送信された同期信号、ブロードキャスト信号などを検索してネットワークにアクセスし、それによってネットワークとの通信を行う。図１に示す矢印は端末装置１０とネットワーク装置２０の間のセルラーリンクによるアップリンク／ダウンリンク伝送を表すことができる。
【００５８】
図２は本出願の実施例の別の応用シーンを示す概略図である。図２における端末装置１３０の周りのアクセスネットワーク装置は、プライマリアクセスネットワーク装置１１０と少なくとも１つのセカンダリアクセスネットワーク装置１２０を備える。該少なくとも一つのセカンダリアクセス装置１２０はそれぞれプライマリアクセスネットワーク装置１１０と接続し、マルチコネクションを構成し、そしてそれぞれ端末装置１３０と接続してそれにサービスを提供する。該プライマリアクセスネットワーク装置１１０はＬＴＥネットワークであってもよく、該セカンダリアクセスネットワーク装置１２０はＮＲネットワークであってもよい。又は該プライマリアクセスネットワーク装置１１０はＮＲネットワークであってもよく、該セカンダリアクセスネットワーク装置１２０はＬＴＥネットワークであってもよい。又は該プライマリアクセスネットワーク装置１１０と該セカンダリアクセスネットワーク装置１２０は全てＮＲネットワークである。本出願は技術的解決策の応用シーンを限定しない。端末装置１３０はプライマリアクセスネットワーク１１０とセカンダリアクセスネットワーク装置１２０を介して同時に接続を確立することができる。端末装置１３０とプライマリアクセスネットワーク装置１１０によって確立された接続はプライマリ接続であり、端末装置１３０とセカンダリアクセスネットワーク装置１２０によって確立された接続はセカンダリ接続である。端末装置１３０の制御シグナリングはプライマリ接続によって伝送されてもよく、端末装置のデータはプライマリ接続とセカンダリ接続によって同時に伝送されてもよいし、セカンダリ接続のみによって伝送されてもよい。
【００５９】
本出願の実施例では、プライマリアクセスネットワーク装置は例えばマクロ基地局（Ｍａｃｒｏｃｅｌｌ）であってもよく、セカンダリアクセスネットワーク装置は例えばマイクロセル基地局（Ｍｉｃｒｏｃｅｌｌ）、ピコセル基地局（Ｐｉｃｏｃｅｌｌ）、フェムトセル基地局（Ｆｅｍｔｏｃｅｌｌ）であってもよいが、本発明の実施例はこれに限定されない。
【００６０】
より具体的には、該プライマリアクセスネットワーク装置はＬＴＥネットワーク装置であってもよく、該セカンダリアクセスネットワーク装置はＮＲネットワーク装置であり、理解すべきものとして、本発明の実施例はこれに限定されなく、該プライマリアクセスネットワーク装置はさらにＧＳＭネットワーク装置、ＣＤＭＡネットワーク装置などであってもよく、該セカンダリアクセスネットワーク装置はＧＳＭネットワーク装置、ＣＤＭＡネットワーク装置などであってもよく、本発明の実施例はこれに制限されない。
【００６１】
本出願の実施例では、コアネットワーク装置はモビリティ管理エンティティ（ＭＭＥ：Ｍｏｂｉｌｉｔｙ  Ｍａｎａｇｅｍｅｎｔ  Ｅｎｔｉｔｙ）であってもよく、またサービングゲートウェイ（Ｓ−ＧＷ：Ｓｅｒｖｉｎｇ  Ｇａｔｅｗａｙ）又はパケットデータゲートウェイ（Ｐ−ＧＷ：ＰＤＮ  Ｇａｔｅｗａｙ）であってもよく、本出願はこれに限定されない。
【００６２】
理解を容易にするために、以下に図３を参照してＬＴＥシステムにおけるハンドオーバープロセスを詳細に説明する。図３に示すように、該ハンドオーバープロセスは以下の一部又は全てのステップを含む。
【００６３】
ステップ１において、ソースｅＮＢはＵＥに対して測定配置を行い、ＵＥの測定結果がソースｅＮＢによるハンドオーバー判決を支援するに用いられる。
【００６４】
ステップ２において、ＵＥは測定配置に従って測定報告を行う。
【００６５】
ステップ３において、ソースｅＮＢはＵＥの測定報告結果を参照し、それ自体のハンドオーバーアルゴリズムに基づき、ハンドオーバー判決を行う。
【００６６】
ステップ４において、ソースｅＮＢはターゲットｅＮＢへハンドオーバーリクエストメッセージを送信し、該メッセージがハンドオーバー準備の関連情報を含み、主にＵＥのＸ２とＳ１シグナリングコンテキストリファレンス、ターゲットセル識別子、セキュリティキー、無線リソース制御（ＲＲＣ：Ｒａｄｉｏ  Ｒｅｓｏｕｒｃｅ  Ｃｏｎｔｒｏｌ）コンテキスト、アクセス層（ＡＳ：Ａｃｃｅｓｓ  Ｓｔｒａｔｕｍ）配置、進化した汎用移動通信システム地上無線アクセスネットワーク（Ｅ−ＵＴＲＡＮ：Ｅｖｏｌｖｅｄ−Ｕｎｉｖｅｒｓａｌ  Ｔｅｒｒｅｓｔｒｉａｌ  Ｒａｄｉｏ  Ａｃｃｅｓｓ）無線アクセスベアラ（Ｅ−ＲＡＢ：Ｅ−ＵＴＲＡＮ  Ｒａｄｉｏ  Ａｃｃｅｓｓ  Ｂｅａｒｅｒ）コンテキストなどがある。同時に、ソースセル物理層識別子と可能なハンドオーバーが失敗した後の回復プロセスに用いられるメッセージ認証検証コードを含む。ＵＥのＸ２とＳ１シグナリングコンテキストリファレンスはターゲットｅＮＢがソースｅＮＢの位置を見つけることに役立つことができる。Ｅ−ＲＡＢコンテキストは必要な無線ネットワーク層（ＲＬＮ：Ｒａｄｉｏ  Ｎｅｔｗｏｒｋ  Ｌａｙｅｒ）と伝送層（ＴＮＬ：Ｔｒａｎｓｐｏｒｔ  Ｎｅｔｗｏｒｋ  Ｌａｙｒｅｒ）アドレッシング情報及びＥ−ＲＡＢのサービス品質（ＱｏＳ：Ｑｕａｌｉｔｙ  ｏｆ  Ｓｅｒｖｉｃｅ）情報などを含む。
【００６７】
ステップ５において、ターゲットｅＮＢは受信されたＥ−ＲＡＢ  ＱｏＳ情報に基づいてアドミッション制御を行い、ハンドオーバーの成功率を向上させる。アドミッション制御には対応するリソース、セル無線ネットワーク一時識別子（Ｃ−ＲＮＴＩ：Ｃｅｌｌ  Ｒａｄｉｏ  Ｎｅｔｗｏｒｋ  Ｔｅｍｐｏｒａｒｙ  Ｉｄｅｎｔｉｆｉｅｒ）及び割り当て専用ランダムアクセスプリアンブル（Ｐｒｅａｍｂｌｅ）コードなどを予約する必要がある。ターゲットセルに用いられるＡＳ配置はソースセルから完全に独立する完全配置であってもよいし、ソースセルに基づく増分配置（増分配置とは同じ部分を配置しなく、シグナリングによって異なる部分のみを再構成し、ＵＥが受信されない配置に対して、元の配置を使用し続けることを指す）であってもよい。
【００６８】
ステップ６において、ターゲットｅＮＢはＬ１／Ｌ２のハンドオーバー準備を行い、同時にソースｅＮＢへハンドオーバーリクエストＡＣＫメッセージを送信する。該メッセージには一つのＲＲＣコンテナーが含まれ、具体的な内容がハンドオーバーを行うようにＵＥをトリガするためのハンドオーバー命令である。ソースｅＮＢハンドオーバー命令は透過的に（変更なしで）ＵＥに送信される。ハンドオーバー命令には新しいＣ−ＲＮＴＩ、ターゲットｅＮＢのケースアルゴリズム識別子が含まれ、ランダムアクセス専用プリアンブル（Ｐｒｅａｍｂｌｅ）コード、アクセスパラメータ、システム情報などが含まれる可能性がある。必要がある場合、ハンドオーバーリクエストＡＣＫメッセージにはデータフォワード伝送のためのＲＮＬ／ＴＮＬ情報が含まれる可能性もある。ソースｅＮＢがハンドオーバーリクエストＡＣＫメッセージを受信し又はＵＥへハンドオーバー命令を転送した場合、データ伝送を開始することができる。
【００６９】
ステップ７において、ハンドオーバー命令（モビリティ制御情報が含まれるＲＲＣコネクション再構成メッセージ）はターゲットｅＮＢによって生成され、ソースｅＮＢによってＵＥに透過的に伝送される。ソースｅＮＢはこのメッセージに対して必要な暗号化と完全性保護を行う。ＵＥは、該メッセージを受信した後、該メッセージにおける関連パラメータを用いてハンドオーバープロセスを開始する。ＵＥは下位層からソースｅＮＢに送信されるハイブリッド自動再送リクエスト（ＨＡＲＱ：Ｈｙｂｒｉｄ  Ａｕｔｏｍａｔｉｃ  Ｒｅｐｅａｔ  ｒｅＱｕｅｓｔ）／自動再送リクエスト（ＡＲＱ：Ａｕｔｏｍａｔｉｃ  Ｒｅｐｅａｔ  ｒｅＱｕｅｓｔ）応答を待たずに、ハンドオーバープロセスを開始できる。
【００７０】
ステップ８において、ソースｅＮＢはシーケンス番号（ＳＮ：Ｓｅｑｕｅｎｃｅ  Ｎｕｍｂｅｒ）状態伝送メッセージをターゲットｅＮＢに送信し、Ｅ−ＲＡＢのアップリンクパケットデータコンバージェンスプロトコル（ＰＤＣＰ：Ｐａｃｋｅｔ  Ｄａｔａ  Ｃｏｎｖｅｒｇｅｎｃｅ  Ｐｒｏｔｏｃｏｌ）ＳＮ受信状態とダウンリンクＰＤＣＰ  ＳＮ送信状態を伝送する。アップリンクＰＤＣＰ  ＳＮ受信状態は順次受信された最後の一つのアップリンクＳＤＵのＰＤＣＰ  ＳＮを少なくとも含み、ビットマッピングの形態で表される、無秩序な受信を引き起こして失われたＳＤのＳＮ（このようなＳＤＵがある場合、これらのＳＤＵはＵＥがターゲットセルで再送を行う必要がある可能性がある）を含む可能性がある。ダウンリンクＰＤＣＰ  ＳＮ送信状態はターゲットｅＮＢで割り当てられるべき次のＳＤＵシーケンス番号を示す。Ｅ−ＲＡＢがＰＤＣＰの状態レポートを伝送する必要がない場合、ソースｅＮＢはこのメッセージを省略することができる。
【００７１】
ステップ９において、ＵＥはハンドオーバー命令を受信した後、ターゲットセルとの同期を実行し、ハンドオーバー命令にランダムアクセス専用プリアンブル（Ｐｒｅａｍｂｌｅ）コードが配置される場合、非競合ランダムアクセスプロセスによりターゲットセルにアクセスし、専用プリアンブル（Ｐｒｅａｍｂｌｅ）コードが配置されない場合、競合ランダムアクセスプロセスによりターゲットセルにアクセスする。ＵＥは、ハンドオーバーが成功した後にターゲットｅＮＢと通信を行うために、ターゲットｅＮＢで使用される必要があるキーを計算し、ネットワークによって選択された、ターゲットｅＮＢで使用される安全アルゴリズムを配置する。
【００７２】
ステップ１０において、ネットワークはアップリンクリソース割り当て指示とタイミングアドバンスを返信する。
【００７３】
ステップ１１において、ターゲットセルへのＵＥのアクセスが成功する場合、ＵＥはＲＲＣ接続再構成完了メッセージを送信し、ハンドオーバープロセスが完了することをターゲットターゲットｅＮＢに確認する。リソースが許可する場合、該メッセージが一つのアップリンクバッファー状態報告（ＢＳＲ：Ｂｕｆｆｅｒ  Ｓｔａｔｕｓ  Ｒｅｐｏｒｔ）の改善に伴う可能性がある。ターゲットｅＮＢはＲＲＣ接続再構成完了メッセージを受信することにより、ハンドオーバーが完了されたことを確定する。これにより、ターゲットｅＮＢはＵＥへデータを送信することができる。
【００７４】
ステップ１２において、ターゲットｅＮＢはＭＭＥへ一つの経路切替リクエストメッセージを送信し、セルが交換されたことをＵＥに通知する。この時にエアインタフェースのハンドオーバーの完了が成功した。
【００７５】
ステップ１３において、ＭＭＥはＳ−ＧＷへユーザプレーン更新リクエストメッセージを送信する。
【００７６】
ステップ１４において、Ｓ−ＧＷはダウンリンクデータ経路をターゲットｅＮＢ側にハンドオーバーする。Ｓ−ＧＷは古い経路で一つ又は複数の「終了マーカー（「ｅｎｄ  ｍａｒｋｅｒ）パケット」をソースｅＮＢに送信し、その後ソースｅＮＢのユーザプレーンリソースを解放できる。
【００７７】
ステップ１５において、Ｓ−ＧＷはＭＭＥへユーザプレーン更新応答メッセージを送信する。
【００７８】
ステップ１６において、ＭＭＥはターゲットｅＮＢへ経路切替リクエストＡＣＫメッセージを送信する。ステップ１２〜１６において経路切替プロセスが完了され、該プロセスの目的はユーザプレーンのデータ経路をソースｅＮＢからターゲットｅＮＢに切り替えることである。Ｓ−ＧＷがダウンリンク経路を切り替えた後、フォワード伝送経路と新しい経路のダウンリンクパケットはターゲットｅＮＢに交互に到着する可能性がある。ターゲットｅＮＢはまず全てのフォワード伝送経路データパケットをＵＥに伝送し、さらに新しい経路から受信されたパケットを伝送する。ターゲットｅＮＢはこの方法を用いて正確な伝送順序を強制的に保証することができる。ターゲットｅＮＢでの再配置機能を支援するために、Ｓ−ＧＷは、Ｅ−ＲＡＢが経路を切り替えた後、古い経路で一つ又は複数の「終了マーカー（ｅｎｄ  ｍａｒｋｅｒ）パケット」を直ちに送信する。「終了マーカー（ｅｎｄ  ｍａｒｋｅｒ）パケット」内にユーザデータが含まれなく、汎用データ伝送プラットフォーム（ＧＴＰ：Ｇｅｎｅｒａｌ  Ｄａｔａ  Ｔｒａｎｓｆｅｒ  Ｐｌａｔｆｏｒｍ）ヘッダーによって示される。識別子を含むパケットの送信が完了された後、Ｓ−ＧＷは古い経路でいかなるデータパケットを送信するべきではない。「終了マーカー（ｅｎｄ  ｍａｒｋｅｒ）パケット」を受信した後、フォワード伝送がこのベアラに対してアクティブになる場合、ソースｅＮＢはこのパケットをターゲットｅＮＢに送信するべきである。「終了マーカー（ｅｎｄ  ｍａｒｋｅｒ）パケット」を認識した後、ターゲットｅＮＢは「終了マーカー（ｅｎｄ  ｍａｒｋｅｒ）パケット」を破棄し、いかなる必要なプロセスを開始してユーザの順次配信を維持するべきであり、これらのデータがＸ２ポートを介してフォワード伝送され又は経路が切り替えられた後にＳ−ＧＷからＳ１ポートを介して受信される。
【００７９】
ステップ１７において、ターゲットｅＮＢはソースｅＮＢへＵＥコンテキスト解放メッセージを送信し、ソースｅＮＢハンドオーバーの成功を通知し且つソースｅＮＢのリソース解放をトリガする。ターゲットｅＮＢはＭＭＥから返信された経路切替ＡＣＫメッセージを受信した後にこのメッセージを送信する。
【００８０】
ステップ１８において、ＵＥコンテキスト解放メッセージを受信した後、ソースｅＮＢは無線ベアラとＵＥコンテキストに関連する制御プレーンリソースを解放することができる。行っているいかなるデータフォワード伝送が継続される。
【００８１】
図３から分かるように、ソースｅＮＢがＵＥへＲＲＣコネクション再構成メッセージを送信した後、ＵＥはソースセルから離れてターゲットセルと同期し、即ちＵＥはソースｅＮＢとのネットワーク接続を切断し、ＵＥとソースｅＮＢの間のデータに対して、ソースｅＮＢがキャッシュされたデータをターゲットｅＮＢに伝送する必要があり、ターゲットｅＮＢとＵＥの間のベアラの確立が完了されるまで、これらのデータが処理されてもよい。この部分のデータに対して、ＵＥのハンドオーバープロセスに待つ必要がある遅延は長い。ＵＥ自体にとって、ＵＥがネットワークを切断する時間が長く、ＵＥのサービスはタイムリーに処理されなく、そのためネットワークの伝送性能が悪い。
【００８２】
図４は本出願の実施例によるハンドオーバー方法３００を示す概略ブロック図である。図４に示すように、該方法３００は以下のステップの一部又は全部の内容を含む。
【００８３】
Ｓ３１０において、第一のアクセスネットワーク装置は第二のプロトコルスタックを配置するように端末装置及び／又は第二のアクセスネットワーク装置をトリガし、前記第二のプロトコルスタックが、前記第二のアクセスネットワーク装置と前記端末装置のデータパケットの順序及び／又は前記第二のアクセスネットワーク装置と前記端末装置のデータパケットのセキュリティキーを維持することに用いられる。
【００８４】
Ｓ３２０において、前記第一のアクセスネットワーク装置が前記第二のプロトコルスタックを使用して前記端末装置のデータパケットの順序を維持するように前記端末装置及び／又は前記第二のアクセスネットワーク装置をトリガする前に、前記第一のアクセスネットワーク装置は第一のプロトコルスタックを使用して前記第一のアクセスネットワーク装置と前記端末装置の処理待ちデータパケットを順次処理する。
【００８５】
当業者であれば、データパケットが一般的にヘッダーとデータ部分で構成され、ヘッダーが端末識別子を受信するためのフラグであり、データ部分が元のデータであることを理解する。本出願の実施例におけるデータパケットはＰＤＣＰ  ＰＤＵを含むことができるがこれに限定されなく、以下に本出願の実施例におけるデータパケットとしてＰＤＣＰ  ＰＤＵを例とし、ＳＤＵを本出願の実施例におけるデータパケットにおけるデータ部分とし、本出願の実施例はこれに限定されないべきである。
【００８６】
選択可能に、本出願の実施例の技術的解決策は図１に示す単一接続におけるハンドオーバーシーンだけでなく、図２に示すマルチコネクションにおける役割ハンドオーバーシーンに適用することができる。説明を容易にするために、以下にまず単一接続におけるハンドオーバーシーンを例として方法１００の技術的解決策を簡単に接続する。
【００８７】
具体的には、第一のアクセスネットワーク装置即ちソースアクセスネットワーク装置は図３のハンドオーバープロセスにおけるステップ１〜７の部分又は全てのステップに従い、第二のプロトコルスタック（以下に新しいプロトコルと呼ばれる）を配置するように端末装置及び／又は第二のアクセスネットワーク装置即ちターゲットアクセスネットワーク装置をトリガすることができ、新しいプロトコルスタックがＰＤＣＰ層／無線リンク制御（ＲＬＣ：Ｒａｄｉｏ  Ｌｉｎｋ  Ｃｏｎｔｒｏｌ）層／メディアアクセス制御（ＭＡＣ：Ｍｅｄｉｕｍ  Ａｃｃｅｓｓ  Ｃｏｎｔｒｏｌ）層／物理（ＰＨＹ：Ｐｈｙｓｉｃａｌ）層を含む。ここで、新しいプロトコルスタックのＰＤＣＰ層がＰＤＣＰ  ＰＤＵの送信又は受信順序及びＰＤＣＰ  ＰＤＵを維持できるセキュリティキーを有する。即ち、端末装置が第二のアクセスネットワーク装置にハンドオーバーした場合、新しいプロトコルスタックを使用して端末装置と第二のアクセスネットワーク装置の間にデータパケットを伝送することができる。本出願の実施例では、第一のアクセスネットワーク装置は第二のプロトコルスタックを配置するように端末装置及び／又は第二のアクセスネットワーク装置をトリガするとともに、第一のプロトコルスタック（以下に古いプロトコルスタックと呼ばれる）を解放しないことを端末装置及び／又は第二のアクセスネットワーク装置に知らせることができ、即ち、端末装置及び／又は第二のアクセスネットワーク装置は新しいプロトコルスタックを確立するように第一のアクセスネットワーク装置によってトリガされる時に、端末装置と第一のアクセスネットワーク装置の間の接続を切断しない。本出願の実施例では、第一のアクセスネットワーク装置は新しいプロトコルスタックを使用してＰＤＣＰ  ＰＤＵの順序を維持するように端末装置及び／又は第二のアクセスネットワーク装置を後でトリガすることができ、即ち、第一のアクセスネットワーク装置は第二のアクセスネットワーク装置に完全にハンドオーバーするように端末装置をトリガし、又は第一のアクセスネットワーク装置はダウンリンク経路を完全にハンドオーバーすることをコアネットワークに通知するように第二のアクセスネットワーク装置をトリガする。第一のアクセスネットワークが前記新しいプロトコルスタックを使用してＰＤＣＰ  ＰＤＵの順序
を維持するように端末装置及び／又は第二のアクセスネットワーク装置をトリガする前に、第一のアクセスネットワーク装置は第一のアクセスネットワーク装置にキャッシュされたコンテキストデータに対して古いプロトコルスタックを使用してＰＤＣＰ  ＰＤＵの順序を維持し続けることができる。
【００８８】
したがって、本出願の実施例のハンドオーバー方法では、第一のアクセスネットワーク装置が新しいプロトコルスタックを完全に使用する前に古いプロトコルスタックを引き続き使用してデータパケットの順序を維持するように端末装置及び／又は第二のアクセスネットワーク装置をトリガすることにより、端末装置のデータがタイムリーに処理されてもよく、それによってハンドオーバープロセスにおける端末装置のデータ伝送の遅延を低減する。
【００８９】
選択可能に、本出願の実施例では、第一のアクセスネットワーク装置は第一の端末装置のみをトリガすることができる。例えば、第一のアクセスネットワーク装置が第二の端末装置に接続された第二のアクセスネットワーク装置のカバレッジに移動し、第一の端末装置がデバイスツーデバイス（Ｄ２Ｄ：Ｄｅｖｉｃｅ−ｔｏ−Ｄｅｖｉｃｅ）で第二の端末装置に接続されてもよい場合、第一のネットワーク装置は第一の端末装置をトリガすることができ、第一の端末装置は新しいプロトコルスタックを確立するように第二のネットワーク装置を第二の端末装置によりトリガすることができる。
【００９０】
選択可能に、本出願の実施例では、第一のアクセスネットワーク装置は第二のアクセスネットワーク装置のみをトリガすることができる。例えば、第一のアクセスネットワーク装置が第二の端末装置に接続された第二のアクセスネットワーク装置のカバレッジに移動し、第一の端末装置がＤ２Ｄで第二の端末装置に接続されてもよい場合、第一のネットワーク装置は第二のネットワーク装置をトリガすることができ、第二のネットワーク装置は新しいプロトコルスタックを確立するように第一の端末装置を第二の端末装置によりトリガすることができる。
【００９１】
選択可能に、本出願の実施例では、該第一のアクセスネットワーク装置が、第二のプロトコルスタックを配置するように端末装置と第二のアクセスネットワーク装置をトリガすることは、該第一のアクセスネットワーク装置が該第二のアクセスネットワーク装置へ第一のトリガ情報を送信し、該第一のトリガ情報が該第二のプロトコルスタックを配置するように該第二のアクセスネットワーク装置にリクエストすることに用いられることと、該第一のアクセスネットワーク装置が該第二のアクセスネットワーク装置から送信された該第一のトリガ情報の応答情報を受信することと、該第一のアクセスネットワーク装置が該応答情報に基づき、該端末装置へ第二のトリガ情報を送信し、該第二のトリガ情報が該第二のプロトコルスタックを配置するように該端末装置に指示することに用いられることとを含む。
【００９２】
具体的には、図３に示すステップ４〜ステップ７の通りであってもよい。例えば、第一のアクセスネットワーク装置は第二のアクセスネットワーク装置へハンドオーバーリクエストを送信することができ、第二のアクセスネットワーク装置は、該ハンドオーバーリクエストに応じて、端末装置が該第二のアクセスネットワーク装置にハンドオーバーすることを許可することを確定した後、第一のアクセスネットワーク装置へ該ハンドオーバーリクエストの応答を返信することができ、該返答には第二のアクセスネットワーク装置によって端末装置に配置された様々なパラメータが含まれてもよく、第一のアクセスネットワーク装置は第二のアクセスネットワーク装置によって配置された様々なパラメータを端末装置に直接透過的に伝送することができ、さらに端末装置はこれらのパラメータに基づき、第二のアクセスネットワーク装置と通信できるプロトコルスタックを配置することができる。
【００９３】
理解すべきものとして、第一のアクセスネットワーク装置は、新しいプロトコルスタックを配置するように端末装置をトリガするとともに、第一のアクセスネットワーク装置との接続を先に切断しないように端末装置に通知することができる。例えば、第一のアクセスネットワーク装置から端末装置に送信されたハンドオーバー命令に一つの指示情報を含ませることができ、該指示情報が第一のアクセスネットワーク装置との接続を切断しないように端末装置に直接指示することができる。又は、第一のアクセスネットワーク装置は端末装置へ一つの指示情報を別個に送信し、第一のアクセスネットワーク装置から送信されたハンドオーバー命令を受信した後に第一のアクセスネットワーク装置との接続を切断しないように端末装置に通知することができる。
【００９４】
また、理解すべきものとして、第一のアクセスネットワーク装置は、新しいプロトコルスタックを使用するように端末装置をトリガするとともに、第一のアクセスネットワーク装置との接続を切断し、即ち古いプロトコルスタックを解放するように端末装置に通知することができる。例えば、第一のアクセスネットワーク装置は、端末装置へ一つの指示情報を別個に送信することができ、該指示情報が第一のアクセスネットワーク装置との接続を切断するように端末装置に直接指示することができる。又は第一のアクセスネットワーク装置は端末装置に送信された最後のデータパケットにビットを含ませ、第一のアクセスネットワーク装置との接続を切断するように端末装置に指示することもできる。
【００９５】
選択可能に、本出願の実施例では、該処理待ちデータパケットが第一のデータパケットを含み、該第一のアクセスネットワーク装置が該第二のプロトコルスタックを使用して該端末装置のデータパケットの順序を維持するように該端末装置及び／又は該第二のアクセスネットワーク装置をトリガする前に、該第一のアクセスネットワーク装置が第一のプロトコルスタックを使用して該第一のアクセスネットワーク装置と該端末装置の処理待ちデータパケットを順次処理することは、該第一のアクセスネットワーク装置が該第二のプロトコルスタックを使用して該端末装置のデータパケットの順序を維持するように該端末装置及び／又は該第二のアクセスネットワーク装置をトリガする前に、該第一のアクセスネットワーク装置が該端末装置から送信された該第一のデータパケットを受信することと、該第一のアクセスネットワーク装置が該第一のプロトコルスタックを使用して該第一のデータパケット又は該第一のデータパケットのデータ部分を使用して復号することと、該第一のアクセスネットワーク装置が該第一のプロトコルスタックを使用し、復号された該第一のデータパケットを順次処理することとを含む。
【００９６】
以下に図５と図６と組み合わせながら単一接続ハンドオーバーシーンとマルチコネクション役割ハンドオーバーシーンにおける２つの実施例を詳細に説明する。
【００９７】
図５は単一接続におけるハンドオーバーシーンである。図５に示すように、第一の段階（図３のステップ７の前として見なすことができる）では、第一のアクセスネットワーク装置が端末装置にネットワークサービスを提供し、即ち、第一のアクセスネットワーク装置のＰＤＣＰ層が集約層として端末装置のデータパケット送信／受信順序（ＬＴＥにおけるＳＮ）を維持し、同時に第一のアクセスネットワーク装置のＰＤＣＰが端末装置のための統一されたセキュリティキーを維持する。アップリンクデータに対して、具体的なプロセスは以下のとおりであってもよい：端末装置は第一のアクセスネットワーク装置へＰＤＣＰ  ＰＤＵを送信する（端末装置はまず該ＰＤＣＰ  ＰＤＵのＳＤＵをソートし、即ちＳＮを追加する必要があり、さらに端末装置はソートされたＰＤＣＰ  ＰＤＵ又はその中のＳＤＵを暗号化することができる）。第一のアクセスネットワーク装置のＰＤＣＰ層は、ＲＬＣ層から該ＰＤＣＰ  ＰＤＵを受信した後、まず該ＰＤＣＰ  ＰＤＵを復号し、又は該ＰＤＣＰ  ＰＤＵにおけるＳＤＵを復号することができ、さらに、第一のアクセスネットワーク装置は復号されたＳＮに基づき、受信されたこれらのＰＤＣＰ  ＰＤＵ又はＳＤＵをソートすることができる。
【００９８】
第二の段階（図３のステップ７〜ステップ１１として見なすことができる）、即ち図３におけるハンドオーバー実行プロセスでは、端末装置はこの期間に、第一のアクセスネットワーク装置との接続を切断しなく、即ち端末装置は第二のアクセスネットワーク装置と同期するプロセスにソースセルから離れなく、この時に端末装置がデータを伝送する必要がある場合、端末装置は依然として第一のアクセスネットワーク装置へ該データを伝送することができる。即ち、第一のアクセスネットワーク装置は同様に端末装置から送信されたＰＤＣＰ  ＰＤＵを受信することができ（端末装置はまず該ＰＤＣＰ  ＰＤＵのＳＤＵをソートし、即ちＳＮを追加する必要があり、さらに端末装置はソートされたＰＤＣＰ  ＰＤＵ又はその中のＳＤＵを暗号化することができる）、第一のアクセスネットワーク装置のＰＤＣＰ層は、ＲＬＣ層から該ＰＤＣＰ  ＰＤＵを受信した後、まず該ＰＤＣＰ  ＰＤＵを復号し、又は該ＰＤＣＰ  ＰＤＵにおけるＳＤＵを復号することができ、さらに、第一のアクセスネットワーク装置は復号されたＳＮに基づき、受信されたこれらのＰＤＣＰ  ＰＤＵ又はＳＤＵをソートすることができる。言い換えれば、該段階では、データは端末装置と第一のアクセスネットワーク装置の間で伝送される。
【００９９】
第三の段階（図３のステップ１１の後のプロセスとして見なすことができる）は即ち図３におけるハンドオーバー完了プロセスである。この期間中、端末装置が既に第二のアクセスネットワーク装置との再構成を完了し、言い換えれば、端末装置は既に第二のアクセスネットワーク装置と通信することができ、そのため端末装置は自然にＰＤＣＰ  ＰＤＵを第二のアクセスネットワーク装置に直接送信することができ、同様に、第二のアクセスネットワーク装置は、端末装置から送信されたＰＤＣＰ  ＰＤＵを受信した後、その新しい確立されたＤＰＣＰ層を使用して該ＰＤＣＰ  ＰＤＵ又はＰＤＣＰ  ＰＤＵにおけるＳＤＵを復号することができ、これにより、取得されたＳＮに基づいてこれらのＰＤＣＰ  ＰＤＵ又はＳＤＵを上位層に順次送信することができる。
【０１００】
ＰＤＣＰプロトコルの機能及びどのようにＰＤＣＰプロトコルのこれらの機能を使用するかについて、ここで詳細に説明しなく、ＬＴＥプロトコルを参照することができる。
【０１０１】
図６はマルチコネクションにおける役割ハンドオーバーシーンである。図６に示すように、第一の段階（図３のステップ７の前として見なすことができる）では、第一のアクセスネットワーク装置と第二のアクセスネットワーク装置は端末装置にネットワークサービスを共同で提供し、ここで、第一のアクセスネットワーク装置がプライマリアクセスネットワーク装置であってもよく、第二のアクセスネットワーク装置がセカンダリアクセスネットワーク装置であってもよく、端末装置は第一のアクセスネットワーク装置と第二のアクセスネットワーク装置を介してネットワーク装置へＰＤＣＰ  ＰＤＵを送信することができ、ネットワーク装置側では第一のアクセスネットワーク装置のＰＤＣＰ層が集約層として端末装置のデータパケット送信／受信順序（ＬＴＥにおけるＳＮ）を維持し、同時に第一のアクセスネットワーク装置のＰＤＣＰが端末装置のための統一されたキーを維持する。アップリンクデータに対して、具体的なプロセスは以下のとおりであってもよい：端末装置は第一のアクセスネットワーク装置と第二のアクセスネットワーク装置へＰＤＣＰ  ＰＤＵを送信する（端末装置はまず該ＰＤＣＰ  ＰＤＵのＳＤＵをソートし、即ちＳＮを追加する必要があり、さらに端末装置はソートされたＰＤＣＰ  ＰＤＵ又はその中のＳＤＵを暗号化することができ、端末装置はさらに暗号化されたＰＤＣＰ  ＰＤＵをそれぞれ第一のアクセスネットワーク装置のＲＬＣ層及び第二のアクセスネットワーク装置のＲＬＣ層を介してネットワーク装置側に送信することができる）。第一のアクセスネットワーク装置のＰＤＣＰ層は、第一のアクセスネットワーク装置のＲＬＣ層及び第二のアクセスネットワーク装置のＲＬＣ層から該ＰＤＣＰ  ＰＤＵを受信した後、まず該ＰＤＣＰ  ＰＤＵを復号し、又は該ＰＤＣＰ  ＰＤＵにおけるＳＤＵを復号することができ、さらに、第一のアクセスネットワーク装置は復号されたＳＮに基づき、受信されたこれらのＰＤＣＰ  ＰＤＵ又はＳＤＵをソートすることができる。
【０１０２】
第二の段階（図３のステップ７〜ステップ１１として見なすことができる）、即ち図３におけるハンドオーバー実行プロセスでは、端末装置はこの期間に、第一のアクセスネットワーク装置との接続を切断しなく、即ち端末装置は第二のアクセスネットワーク装置と同期するプロセスに第一のアクセスネットワーク装置のＰＤＣＰを依然として使用して端末装置のデータ送信／受信順序及びこれらのデータのキーを維持し、この時に端末装置がデータを伝送する必要がある場合、端末装置は依然として第一のアクセスネットワーク装置及び／又は第二のアクセスネットワーク装置へ該データを伝送することができる。しかし、最終、データは依然として第一のアクセスネットワーク装置のＰＤＣＰ層によって処理される。言い換えれば、この期間中、ネットワーク装置は依然として古いプロトコルスタックによってデータを処理する。
【０１０３】
理解すべきものとして、第一の段階と第二の段階で伝送されるデータはデュアル接続における２つのリンクを介して伝送されてもよく、その中の一つのリンクを使用して伝送されてもよいが、１つのリンク又は２つのリンクで伝送されるかに関わらず、最終、データは第一のアクセスネットワーク装置のＰＤＣＰ層、即ちデュアル接続シーンにおけるプライマリアクセスネットワーク装置のＰＤＣＰ層に集約される。
【０１０４】
第三の段階（図３のステップ１１の後のプロセスとして見なすことができる）は即ち図３におけるハンドオーバー完了プロセスである。この期間中、端末装置が既に第二のアクセスネットワーク装置との再構成を完了し、言い換えれば、第二のアクセスネットワーク装置が既にＰＤＣＰ層の配置を完了し、そのため端末装置は第二のアクセスネットワーク装置と直接通信することができ、即ちネットワーク装置側では第二のアクセスネットワーク装置のＰＤＣＰ層を使用し、端末装置から送信されたＰＤＣＰ  ＰＤＵ又はそのＳＤＵを復号することができ、さらに第二のアクセスネットワーク装置のＰＤＣＰ層が取得されたＳＮに基づいてこれらのＰＤＣＰ  ＰＤＵ又はＳＤＵに基づいて上位層へ順次送信することができる。
【０１０５】
選択可能に、第三の段階において、即ちハンドオーバーが完了された後、第一のアクセスネットワーク装置はＰＤＣＰ層の機能のみを解放することができ、即ちハンドオーバーした後、第一のアクセスネットワーク装置を第二のアクセスネットワーク装置の一つのセカンダリアクセスネットワーク装置とすることができ、端末装置は２つのリンクを介してネットワーク装置側へデータを送信することができるが、２つのリンクにおけるデータが最終的に第二のアクセスネットワーク装置によって新しく確立されたＰＤＣＰ層に集約され、第二のアクセスネットワーク装置によって確立されたＰＤＣＰ層によってデータを復号し、復号されたＳＮに基づいて上位層に順次送信する。
【０１０６】
選択可能に、第三の段階において、即ちハンドオーバーが完了された後、第一のアクセスネットワーク装置は端末装置との接続の解放を完了することができ、端末装置は第二のアクセスネットワーク装置とのリンクのみによってデータを伝送することができる。そして第二のアクセスネットワーク装置によって確立されたＰＤＣＰ層によってデータを復号し、復号されたＳＮに基づいて上位層に順次送信する。
【０１０７】
本明細書に渡ってデュアル接続を例として説明するが、本出願の実施例はこれに限定されなく、マルチコネクションであってもよく、即ち一つのプライマリアクセスネットワーク装置と複数のセカンダリアクセスネットワーク装置は端末装置にネットワークサービスを共同で提供する。
【０１０８】
上記はアップリンクデータを例として単一接続ハンドオーバーシーン及びマルチコネクション役割ハンドオーバーシーンにおける本出願の実施例の技術的解決策の応用を説明する。ダウンリンクデータが同様に適用する。
【０１０９】
選択可能に、本出願の実施例では、該処理待ちＰＤＣＰ  ＰＤＵが第二のＰＤＣＰ  ＰＤＵを含む場合、該第一のアクセスネットワーク装置が該第二のプロトコルスタックを使用して該端末装置のＰＤＣＰ  ＰＤＵの順序を維持するように該端末装置及び／又は該第二のアクセスネットワーク装置をトリガする前に、該第一のアクセスネットワーク装置が第一のプロトコルスタックを使用して該第一のアクセスネットワーク装置と該端末装置の処理待ちＰＤＣＰ  ＰＤＵを順次処理することは、該第一のアクセスネットワーク装置が該第二のプロトコルスタックを使用して該端末装置のＰＤＣＰ  ＰＤＵの順序を維持するように該端末装置及び／又は該第二のアクセスネットワーク装置をトリガする前に、該第一のアクセスネットワーク装置がコアネットワーク装置から送信された該第二のＰＤＣＰ  ＰＤＵを受信することと、該第一のアクセスネットワーク装置が第一のプロトコルスタックを使用して該第二のＰＤＣＰ  ＰＤＵを順次処理することとを含み、該方法はさらに、該第一のアクセスネットワーク装置が該第一のプロトコルスタックを使用し、順次処理された該第二のＰＤＣＰ  ＰＤＵ又は該第二のＰＤＣＰ  ＰＤＵのＳＤＵを暗号化することを含む。
【０１１０】
ダウンリンクデータの伝送についてアップリンクデータを参照することができる。簡潔にするために、ここでは説明を省略する。
【０１１１】
選択可能に、本出願の実施例では、該処理待ちＰＤＣＰ  ＰＤＵが第三のＰＤＣＰ  ＰＤＵを含む場合、該第一のアクセスネットワーク装置が該第二のプロトコルスタックを使用して該端末装置のＰＤＣＰ  ＰＤＵの順序を維持するように該端末装置及び／又は該第二のアクセスネットワーク装置をトリガする前に、該第一のアクセスネットワーク装置が第一のプロトコルスタックを使用して該第一のアクセスネットワーク装置と該端末装置の処理待ちＰＤＣＰ  ＰＤＵを順次処理することは、該第一のアクセスネットワーク装置が該第二のプロトコルスタックを使用して該端末装置のＰＤＣＰ  ＰＤＵの順序を維持するように該端末装置及び／又は該第二のアクセスネットワーク装置をトリガする前に、該第一のアクセスネットワーク装置が該第二のアクセスネットワーク装置から送信された、該第二のアクセスネットワーク装置が該第二のプロトコルスタックを使用して復号した第三のＰＤＣＰ  ＰＤＵを受信することと、第一のアクセスネットワーク装置が復号された該第三のＰＤＣＰ  ＰＤＵを順次処理することとを含む。
【０１１２】
選択可能に、本出願の実施例では、該処理待ちＰＤＣＰ  ＰＤＵが第四のＰＤＣＰ  ＰＤＵを含む場合、該第一のアクセスネットワーク装置が該第二のプロトコルスタックを使用して該端末装置のＰＤＣＰ  ＰＤＵの順序を維持するように該端末装置及び／又は該第二のアクセスネットワーク装置をトリガする前に、該第一のアクセスネットワーク装置が第一のプロトコルスタックを使用して該第一のアクセスネットワーク装置と該端末装置の処理待ちＰＤＣＰ  ＰＤＵを順次処理することは、該第一のアクセスネットワーク装置が該第二のプロトコルスタックを使用して該端末装置のＰＤＣＰ  ＰＤＵの順序を維持するように該端末装置及び／又は該第二のアクセスネットワーク装置をトリガする前に、該第一のアクセスネットワーク装置がコアネットワーク装置から送信された該第四のＰＤＣＰ  ＰＤＵを受信することと、該第一のアクセスネットワーク装置が該第一のプロトコルスタックを使用して該第四のＰＤＣＰ  ＰＤＵを順次処理することとを含み、該方法はさらに、該第二のアクセスネットワーク装置が該第二のプロトコルスタックを使用し、順次処理された該第二のＰＤＣＰ  ＰＤＵ又は該第二のＰＤＣＰ  ＰＤＵのＳＤＵを暗号化するように、該第一のアクセスネットワーク装置が該第二のアクセスネットワーク装置に、順次処理された該第四のＰＤＣＰ  ＰＤＵを送信することを含む。
【０１１３】
理解すべきものとして、本明細書に記載されるＰＤＣＰ  ＰＤＵはいくつかの箇所にデータパケットを指し、また、いくつかの箇所にデータパケットのデータ部分を指し、当業者が区分するべきである。例えば、アップリンクデータに対して、端末装置は、データパケットを直接処理することなく、データを順次処理し、データパケットを生成し、その後ネットワーク装置へ送信する。また、例えば、ダウンリンクデータに対して、アクセスネットワーク装置はコアネットワーク装置からデータを取得し、アクセスネットワーク装置は受信されたダウンリンクデータを順次処理し、データパケットを生成し、その後端末装置へ送信する。
【０１１４】
以下に図７と図８と組み合わせながら単一接続ハンドオーバーシーンとマルチコネクション役割ハンドオーバーシーンにおける別の２つの実施例を詳細に説明する。
【０１１５】
図７は単一接続におけるハンドオーバーシーンである。図５に示すように、第一の段階（図３のステップ７の前として見なすことができる）では、第一のアクセスネットワーク装置が端末装置にネットワークサービスを提供し、即ち、第一のアクセスネットワーク装置のＰＤＣＰ層が集約層として端末装置のデータパケット送信／受信順序（ＬＴＥにおけるＳＮ）を維持し、同時に第一のアクセスネットワーク装置のＰＤＣＰが端末装置のための統一されたキーを維持する。アップリンクデータに対して、具体的なプロセスは以下のとおりであってもよい：端末装置は第一のアクセスネットワーク装置へＰＤＣＰ  ＰＤＵを送信する（端末装置はまず該ＰＤＣＰ  ＰＤＵのＳＤＵをソートし、即ちＳＮを追加する必要があり、さらに端末装置はソートされたＰＤＣＰ  ＰＤＵ又はその中のＳＤＵを暗号化することができる）。第一のアクセスネットワーク装置のＰＤＣＰ層は、ＲＬＣ層から該ＰＤＣＰ  ＰＤＵを受信した後、まず該ＰＤＣＰ  ＰＤＵを復号し、又は該ＰＤＣＰ  ＰＤＵにおけるＳＤＵを復号することができ、さらに、第一のアクセスネットワーク装置は復号されたＳＮに基づき、受信されたこれらのＰＤＣＰ  ＰＤＵ又はＳＤＵをソートすることができる。
【０１１６】
第二の段階（図３のステップ７−ステップ１１として見なすことができる）、即ち図３におけるハンドオーバー実行プロセスでは、端末装置はこの期間に、第一のアクセスネットワーク装置との接続を切断しなく、即ち端末装置は第二のアクセスネットワーク装置と同期するプロセスにソースセルから離れないが、ネットワーク装置のＰＤＣＰ機能の一部が第二のプロトコルスタックに移転することができ、即ち第二のアクセスネットワーク装置によって確立されたＰＤＣＰ層によって端末装置のキーを維持することができる。この時に端末装置がデータを伝送する必要がある場合、端末装置は第二のプロトコルスタックを使用して第二のアクセスネットワーク装置へ該データを伝送することができる。第二のアクセスネットワーク装置は受信されたデータをまず復号し、復号が完了された後にデータを第一のアクセスネットワーク装置に送信してソートして送信する。即ち、まず第二のアクセスネットワーク装置のＰＤＣＰ層を使用し、受信されたＰＤＣＰ  ＰＤＵを復号するが、最終的に第一のアクセスネットワーク装置のＰＤＣＰ層を介してソートして送信する。言い換えれば、該段階では、新しいプロトコルスタックを使用してデータを復号し、また古いプロトコルスタックを使用してデータをソートすることができる。
【０１１７】
第三の段階（図３のステップ１１の後のプロセスとして見なすことができる）は即ち図３におけるハンドオーバー完了プロセスである。この期間中、端末装置が既に第二のアクセスネットワーク装置との再構成を完了し、言い換えれば、端末装置のデータを維持するためのソート送信機能を第一のアクセスネットワーク装置から第二のアクセスネットワーク装置に移転し、そのため端末装置は自然にＰＤＣＰ  ＰＤＵを第二のアクセスネットワーク装置に直接送信することができ、同様に、第二のアクセスネットワーク装置は、端末装置から送信されたＰＤＣＰ  ＰＤＵを受信した後、その新しい確立されたＤＰＣＰ層において該ＰＤＣＰ  ＰＤＵ又はＰＤＣＰ  ＰＤＵにおけるＳＤＵを復号することができ、これにより、取得されたＳＮに基づいてこれらのＰＤＣＰ  ＰＤＵ又はＳＤＵを上位層に順次送信することができる。
【０１１８】
図８はマルチコネクションにおける役割ハンドオーバーシーンである。図８に示すように、第一の段階（図３のステップ７の前として見なすことができる）では、第一のアクセスネットワーク装置と第二のアクセスネットワーク装置は端末装置にネットワークサービスを共同で提供し、ここで、第一のアクセスネットワーク装置がプライマリアクセスネットワーク装置であってもよく、第二のアクセスネットワーク装置がセカンダリアクセスネットワーク装置であってもよく、端末装置は第一のアクセスネットワーク装置と第二のアクセスネットワーク装置を介してネットワーク装置へＰＤＣＰ  ＰＤＵを送信することができ、ネットワーク装置側では第一のアクセスネットワーク装置のＰＤＣＰ層が集約層として端末装置のデータパケット送信／受信順序（ＬＴＥにおけるＳＮ）を維持し、同時に第一のアクセスネットワーク装置のＰＤＣＰが端末装置のための統一されたキーを維持する。アップリンクデータに対して、具体的なプロセスは以下のとおりであってもよい：端末装置は第一のアクセスネットワーク装置と第二のアクセスネットワーク装置へＰＤＣＰ  ＰＤＵを送信する（端末装置はまず該ＰＤＣＰ  ＰＤＵのＳＤＵをソートし、即ちＳＮを追加する必要があり、さらに端末装置はソートされたＰＤＣＰ  ＰＤＵ又はその中のＳＤＵを暗号化することができ、端末装置はさらに暗号化されたＰＤＣＰ  ＰＤＵをそれぞれ第一のアクセスネットワーク装置のＲＬＣ層及び第二のアクセスネットワーク装置のＲＬＣ層を介してネットワーク装置側に送信することができる）。第一のアクセスネットワーク装置のＰＤＣＰ層は、第一のアクセスネットワーク装置のＲＬＣ層及び第二のアクセスネットワーク装置のＲＬＣ層から該ＰＤＣＰ  ＰＤＵを受信した後、まず該ＰＤＣＰ  ＰＤＵを復号し、又は該ＰＤＣＰ  ＰＤＵにおけるＳＤＵを復号することができ、さらに、第一のアクセスネットワーク装置は復号されたＳＮに基づき、受信されたこれらのＰＤＣＰ  ＰＤＵ又はＳＤＵをソートすることができる。
【０１１９】
第二の段階（図３のステップ７〜ステップ１１として見なすことができる）、即ち図３におけるハンドオーバー実行プロセスでは、端末装置はこの期間に、第一のアクセスネットワーク装置との接続を切断しなく、即ち端末装置は第二のアクセスネットワーク装置と同期するプロセスに第一のアクセスネットワーク装置のＰＤＣＰを依然として使用して端末装置のデータ送信／受信順序を維持するが、新しく確立されたＰＤＣＰプロトコルスタックを使用してこれらのデータのキーを維持し、この時に端末装置がデータを伝送する必要がある場合、端末装置は依然として第一のアクセスネットワーク装置及び／又は第二のアクセスネットワーク装置へ該データを伝送することができる。しかし、最終、データは第二のアクセスネットワーク装置によってて確立されたＰＤＣＰ層を使用して解凍され、また第一のアクセスネットワーク装置のＰＤＣＰ層によってソートして処理される。言い換えれば、この期間中、ネットワーク装置は依然として古いプロトコルスタックと新しいプロトコルスタックによってデータを共同で処理する。
【０１２０】
理解すべきものとして、第一の段階と第二の段階で伝送されるデータはデュアル接続における２つのリンクを介して送信されてもよく、その中の一つのリンクを使用して送信されてもよいが、１つのリンク又は２つのリンクで伝送されるかに関わらず、最終、データは第一のアクセスネットワーク装置のＰＤＣＰ層、即ちデュアル接続シーンにおけるプライマリアクセスネットワーク装置のＰＤＣＰ層に集約される。
【０１２１】
第三の段階（図３のステップ１１の後のプロセスとして見なすことができる）は即ち図３におけるハンドオーバー完了プロセスである。この期間中、端末装置が既に第二のアクセスネットワーク装置との再構成を完了し、言い換えれば、第二のアクセスネットワーク装置が既にＰＤＣＰ層の配置を完了し、そのため端末装置は第二のアクセスネットワーク装置と直接通信することができ、即ちネットワーク装置側では第二のアクセスネットワーク装置のＰＤＣＰ層を使用し、端末装置から送信されたＰＤＣＰ  ＰＤＵ又はそのＳＤＵを復号することができ、さらに第二のアクセスネットワーク装置のＰＤＣＰ層が取得されたＳＮに基づいてこれらのＰＤＣＰ  ＰＤＵ又はＳＤＵに基づいて上位層へ順次送信することができる。
【０１２２】
ダウンリンクデータの伝送についてアップリンクデータを参照することができる。簡潔にするために、ここでは説明を省略する。
【０１２３】
理解すべきものとして、上記図５−図８の各実施例において、第二の段階で端末装置のＰＤＣＰ  ＰＤＵの順序を維持するためのＰＤＣＰは第一のアクセスネットワーク装置内のＰＤＣＰエンティティであってもよいし、ＰＤＣＰエンティティ以外の一つの統一された集約層であってもよく、該統一された集約層がそれぞれ第一のアクセスネットワーク装置のＰＤＣＰエンティティ及び第二のアクセスネットワーク装置のＰＤＣＰエンティティに接続されてもよく、即ち第二の段階で第一のアクセスネットワーク装置のＰＤＣＰエンティティでなく、その外部の一つの集約層を使用することができる。本出願の実施例はこれに限定されない。
【０１２４】
また、理解すべきものとして、上記第二の段階のデータ伝送には、データを２つの部分に分割することができ、一部が新しいプロトコルスタックを使用して復号され、別の部分が古いプロトコルスタックを使用して復号され、また、新しいプロトコルスタック又は古いプロトコルスタックを個別に使用して復号することもでき、本出願の実施例はこれに限定されない。
【０１２５】
選択可能に、本出願の実施例では、該方法はさらに該第一のアクセスネットワーク装置が、処理する必要がある該端末装置のデータ又はデータパケットが該第一のアクセスネットワーク装置に存在しないことを確定した場合、該第一のアクセスネットワーク装置が該第二のプロトコルスタックを使用して該端末装置のデータパケットの順序を維持するように該端末装置及び／又は該第二のアクセスネットワーク装置をトリガすることを含む。
【０１２６】
具体的には、図３に示すプロセスにおいて、コアネットワーク装置はダウンリンク経路のハンドオーバーを行った後、第一のアクセスネットワーク装置へ一つの終了マーカーを送信し、後でデータが第一のアクセスネットワーク装置に送信されないことを第一のアクセスネットワーク装置に通知することができ、そのため第一のアクセスネットワーク装置はそれぞれ端末装置及び／又は第二のアクセスネットワーク装置へこの状況を伝えることができ、後で相互に直接通信できることを端末装置及び／又は第二のアクセスネットワーク装置に通知することができ、第一のアクセスネットワーク装置が伝送する必要がない。例えば、該終了マーカーは上記ステップ１６における「終了マーカー（ｅｎｄ  ｍａｒｋｅｒ）」であってもよいし、他の指示情報であってもよい。
【０１２７】
即ち、端末装置は第一のアクセスネットワーク装置から送信された指示情報を受信する場合、第一のアクセスネットワーク装置との間でデータを伝送できないと判断することができ、端末装置は新しいプロトコルスタックを直接使用して後のデータの伝送を行うことができる。端末装置は該指示情報に基づき、古いプロトコルスタックを解放することもできる。
【０１２８】
選択可能に、本出願の実施例では、第一のアクセスネットワーク装置から端末装置に送信される指示情報は無線リソース制御（ＲＲＣ）シグナリング、メディアアクセス制御（ＭＡＣ）シグナリング、ダウンリンク制御情報（ＤＣＩ：Ｄｏｗｎｌｏａｄ  Ｃｏｎｔｒｏｌ  Ｉｎｆｏｒｍａｔｉｏｎ）、データパケット内のビットのいずれかの一つであってもよい。
【０１２９】
選択可能に、本出願の実施例では、該方法はさらに該第一のアクセスネットワーク装置が該第二のアクセスネットワーク装置から送信された第三の指示情報を受信し、該第三の指示情報が、該端末装置が該第二のプロトコルスタックの配置を完了したことを示すことに用いられることと、該第一のアクセスネットワーク装置が該第三の指示情報に基づき、コアネットワーク装置へルート切替情報を送信し、該ルート切替情報が該端末装置のデータパケットの順序の維持を担うアクセスネットワーク装置を該第一のアクセスネットワーク装置から該第二のアクセスネットワーク装置に切り替えるように該コアネットワーク装置に指示することに用いられることとを含む。
【０１３０】
即ち、第二のアクセスネットワーク装置は、端末装置が配置を完了したことを確定した後、コアネットワーク装置へルート切替情報を送信し、即ちダウンリンク経路を切り替えるように第一のアクセスネットワーク装置をトリガすることができる。例えば、第二のアクセスネットワーク装置が図３における再構成完了メッセージを受信する場合、第二のアクセスネットワーク装置は第一のアクセスネットワーク装置へ一つの指示情報を送信し、即ち端末装置が既に新しいプロトコルスタンクの配置を完了したことを第一のアクセスネットワーク装置に通知することができ、そのため第一のアクセスネットワーク装置はダウンリンクルート切替を行うようにコアネットワーク装置に通知することができる。第二のアクセスネットワーク装置は、図３における再構成完了メッセージを受信した後、ダウンリンクルート切替を行うようにコアネットワーク装置に直接通知することができる。
【０１３１】
選択可能に、本出願の実施例では、該第一のアクセスネットワーク装置はソースアクセスネットワーク装置であり、該第二のアクセスネットワーク装置はターゲットアクセスネットワーク装置であり、又は該第一のアクセスネットワーク装置は、マルチコネクション場面におけるプライマリアクセスネットワーク装置であり、該第二のアクセスネットワーク装置は該マルチコネクション場面のセカンダリアクセスネットワーク装置である。
【０１３２】
図９は本出願の実施例によるハンドオーバー方法４００を示す概略ブロック図である。図９に示すように、該方法４００は以下を含む。
【０１３３】
Ｓ４１０において、第二のアクセスネットワーク装置は第一のアクセスネットワーク装置から送信された第一のトリガ情報を受信し、該第一のトリガ情報が、第二のプロトコルスタックを配置するように該第二のアクセスネットワーク装置をトリガすることに用いられ、該第二のプロトコルスタックが該第二のアクセスネットワーク装置と端末装置のデータパケットの順序及び／又は該第二のアクセスネットワーク装置と端末装置のデータパケットのセキュリティキーを維持することに用いられる。
【０１３４】
Ｓ４２０において、該第二のアクセスネットワーク装置は該第一のアクセスネットワーク装置から送信された第二のトリガ情報を受信し、該第二のトリガ情報が、該第二のプロトコルスタックを使用して該端末装置のデータパケットの順序を維持するように該第二のアクセスネットワーク装置をトリガすることに用いられる。
【０１３５】
したがって、本出願の実施例のハンドオーバー方法では、第一のアクセスネットワーク装置が新しいプロトコルスタックを完全に使用する前に古いプロトコルスタックを引き続き使用してデータパケットの順序を維持するように端末装置及び／又は第二のアクセスネットワーク装置をトリガすることにより、端末装置のデータがタイムリーに処理されてもよく、それによってハンドオーバープロセスにおける端末装置のデータ伝送の遅延を低減する。
【０１３６】
選択可能に、本出願の実施例では、該方法はさらに該第二のアクセスネットワーク装置が該第一のアクセスネットワーク装置から送信された該第二のトリガ情報を受信する前に、該第二のアクセスネットワーク装置が順次処理及び暗号化された第一のデータパケットを該第一のアクセスネットワーク装置に送信することと、該第二のアクセスネットワーク装置が順次処理及び暗号化された該第一のデータパケットを該端末装置に転送することとを含む。
【０１３７】
選択可能に、本出願の実施例では、該方法はさらに該第二のアクセスネットワーク装置が該第一のアクセスネットワーク装置から送信された該第二のトリガ情報を受信する前に、該第二のアクセスネットワーク装置が該第一のアクセスネットワーク装置から送信された、順次処理された第二のデータパケットを受信することと、該第二のアクセスネットワーク装置が該第二のプロトコルスタックを使用して該第二のデータパケット又は該第二のデータパケットのデータ部分を暗号化することと、該第二のアクセスネットワーク装置が該端末装置へ暗号化された該第二のデータパケットを送信することとを含む。
【０１３８】
選択可能に、本出願の実施例では、該方法はさらに該第二のアクセスネットワーク装置が該第一のアクセスネットワーク装置から送信された該第二のトリガ情報を受信する前に、該第二のアクセスネットワーク装置が該端末装置から送信された第三のデータパケットを受信することと、該第一のアクセスネットワーク装置が該第三のデータパケット又は該第三のデータパケットのデータ部分を復号及び順次処理することができるように、該第二のアクセスネットワーク装置が該第一のアクセスネットワーク装置へ該第三のデータパケットを転送することとを含む。
【０１３９】
選択可能に、本出願の実施例では、該方法はさらに該第二のアクセスネットワーク装置が該第一のアクセスネットワーク装置から送信された該第二のトリガ情報を受信する前に、該第二のアクセスネットワーク装置が該端末装置から送信された第四のデータパケットを受信することと、該第二のアクセスネットワーク装置が該第二のプロトコルスタックを使用して該第四のデータパケット又は該第四のデータパケットのデータ部分を復号することと、該第一のアクセスネットワーク装置が復号された該第四のデータパケットを順次処理することができるように、該第二のアクセスネットワーク装置が該第一のアクセスネットワーク装置へ復号された該第四のデータパケットを送信することとを含む。
【０１４０】
選択可能に、本出願の実施例では、該方法はさらに該第二のアクセスネットワーク装置が端末装置から送信された第一の指示情報を受信し、該第一の指示情報が該第二のプロトコルスタックの配置を完了するように該端末装置に指示することに用いられることと、該第二のアクセスネットワーク装置が該第一の指示情報に基づき、コアネットワーク装置へルート切替情報を送信すること、又は該第二のアクセスネットワーク装置が該第一の指示情報に基づき、コアネットワーク装置へルート切替情報を送信するように該第一のアクセスネットワーク装置をトリガし、該ルート切替情報が該端末装置のデータパケットの順序の維持を担うアクセスネットワーク装置を該第一のアクセスネットワーク装置から該第二のアクセスネットワーク装置に切り替えるように該コアネットワーク装置に指示することに用いられることとを含む。
【０１４１】
選択可能に、本出願の実施例では、該方法はさらに該第二のアクセスネットワーク装置が該コアネットワーク装置へ該ルート切替情報を送信した後、該第二のアクセスネットワーク装置が該第一のアクセスネットワーク装置から送信された第二の指示情報を受信し、該第二の指示情報が、該第一のアクセスネットワーク装置に処理する必要がある該端末装置のデータ又はデータパケットが存在しないことを示すことに用いられることを含む。
【０１４２】
選択可能に、本出願の実施例では、該第二のトリガ情報は、無線リソース制御（ＲＲＣ）シグナリング、メディアアクセス制御（ＭＡＣ）シグナリング、ダウンリンク制御情報（ＤＣＩ）、データパケット内のビットのいずれかの一つである。
【０１４３】
選択可能に、本出願の実施例では、該第一のアクセスネットワーク装置はソースアクセスネットワーク装置であり、該第二のアクセスネットワーク装置はターゲットアクセスネットワーク装置であり、又は該第一のアクセスネットワーク装置は、マルチコネクション場面におけるプライマリアクセスネットワーク装置であり、該第二のアクセスネットワーク装置は該マルチコネクション場面のセカンダリアクセスネットワーク装置である。
【０１４４】
理解すべきものとして、第二のアクセスネットワーク装置で説明される第二のアクセスネットワーク装置と第一のアクセスネットワーク装置及び端末装置のインタラクション及び関連特性、機能などが第一のアクセスネットワーク装置の関連特性、機能に対応する。そして、関連内容について上記方法３００で詳細に説明され、簡潔にするために、説明を省略する。
【０１４５】
図１０は本出願の実施例によるハンドオーバー方法５００を示す概略ブロック図である。図１０に示すように、該方法５００は以下を含む。
【０１４６】
Ｓ５１０において、端末装置は、第一のアクセスネットワーク装置から送信された第一のトリガ情報に基づき、第二のプロトコルスタックを配置し、該第二のプロトコルスタックが該第二のアクセスネットワーク装置と該端末装置のデータパケットの順序及び／又は該第二のアクセスネットワーク装置と該端末装置のデータパケットのセキュリティキーを維持することに用いられる。
【０１４７】
Ｓ５２０において、該端末装置が該第一のアクセスネットワーク装置及び／又は該第二のアクセスネットワーク装置から送信された第二のトリガ情報を受信する前に、該端末装置は、第一のプロトコルスタックを使用して該端末装置の処理待ちデータパケット又はデータを順次処理し、該第二のトリガ情報が該第二のプロトコルスタックを使用して該端末装置のデータパケットの順序を維持するように該端末装置をトリガすることに用いられる。
【０１４８】
したがって、本出願の実施例のハンドオーバー方法では、第一のアクセスネットワーク装置が新しいプロトコルスタックを完全に使用する前に古いプロトコルスタックを引き続き使用してデータパケットの順序を維持するように端末装置及び／又は第二のアクセスネットワーク装置をトリガすることにより、端末装置のデータがタイムリーに処理されてもよく、それによってハンドオーバープロセスにおける端末装置のデータ伝送の遅延を低減する。
【０１４９】
選択可能に、本出願の実施例では、該処理待ちデータが第一のデータを含み、該端末装置が該第一のアクセスネットワーク装置及び／又は該第二のアクセスネットワーク装置から送信された第二のトリガ情報を受信する前に、該端末装置が第一のプロトコルスタックを使用して該端末装置の処理待ちデータパケット又はデータを順次処理することは、該端末装置が該第一のプロトコルスタックを使用して該第一のデータを順次処理することを含み、該方法はさらに該端末装置が該第一のプロトコルスタックを使用し、順次処理された該第一のデータ又は該第一のデータを含むデータパケットを暗号化することと、該端末装置が該第一のアクセスネットワーク装置及び／又は第二のアクセスネットワーク装置に、暗号化された、該第一のデータを含むデータパケットを送信することとを含む。
【０１５０】
選択可能に、本出願の実施例では、該処理待ちデータパケットが第一のデータパケットを含み、該端末装置が該第一のアクセスネットワーク装置及び／又は該第二のアクセスネットワーク装置から送信された第二のトリガ情報を受信する前に、該端末装置が第一のプロトコルスタックを使用して該端末装置の処理待ちデータパケット又はデータを順次処理することは、該端末装置が該第一のアクセスネットワーク装置及び／又は該第二のアクセスネットワーク装置から送信された第二のトリガ情報を受信する前に、該端末装置が該第一のアクセスネットワーク装置及び／又は第二のアクセスネットワーク装置から送信された第一のデータパケットを受信することと、該端末装置が該第一のプロトコルスタックを使用して該第一のデータパケット又は該第一のデータパケットのデータ部分を復号することと、該端末装置が該第一のプロトコルスタックを使用し、復号された該第一のデータを順次処理することとを含む。
【０１５１】
選択可能に、本出願の実施例では、該処理待ちデータが第二のデータを含み、該端末装置が該第一のアクセスネットワーク装置及び／又は該第二のアクセスネットワーク装置から送信された第二のトリガ情報を受信する前に、該端末装置が第一のプロトコルスタックを使用して該端末装置の処理待ちデータパケット又はデータを順次処理することは、該端末装置が該第一のプロトコルスタックを使用して該第二のデータを順次処理することを含み、該方法はさらに該端末装置が該第二のプロトコルスタックを使用し、順次処理された該第二のデータ又は該第二のデータを含むデータパケットを暗号化することと、該端末装置が該第二のアクセスネットワーク装置に、暗号化された、該第二のデータを含むデータパケットを送信することとを含む。
【０１５２】
選択可能に、本出願の実施例では、該処理待ちデータパケットが第二のデータパケットを含み、該端末装置が該第一のアクセスネットワーク装置及び／又は該第二のアクセスネットワーク装置から送信された第二のトリガ情報を受信する前に、該端末装置が第一のプロトコルスタックを使用して該端末装置の処理待ちデータパケット又はデータを順次処理することは、該端末装置が該第二のネットワーク装置から送信された該第二のデータパケットを受信することと、該端末装置が該第二のプロトコルスタックを使用して該第二のデータパケット又は該第二のデータパケットのデータ部分を復号することと、該端末装置が該第一のプロトコルスタックを使用し、復号された該第二のデータパケットを順次処理することとを含む。
【０１５３】
選択可能に、本出願の実施例では、該方法はさらに該端末装置が該第一のアクセスネットワーク装置及び／又は該第二のアクセスネットワーク装置から送信された該第二のトリガ情報を受信することと、該端末装置が該第二のトリガ情報に基づき、該第二のプロトコルスタックを使用して該端末装置のデータパケットの順序を維持することとを含む。
【０１５４】
選択可能に、本出願の実施例では、該第二のトリガ情報はさらに該第一のプロトコルスタックを解放するように該端末装置に指示することに用いられ、該方法はさらに該端末装置が該第二のトリガ情報に基づき、該第一のプロトコルスタックを解放することを含む。
【０１５５】
選択可能に、本出願の実施例では、該第二のトリガ情報は、無線リソース制御（ＲＲＣ）シグナリング、メディアアクセス制御（ＭＡＣ）シグナリング、ダウンリンク制御情報（ＤＣＩ）、データパケット内のビットのいずれかの一つである。
【０１５６】
選択可能に、本出願の実施例では、該第一のアクセスネットワーク装置はソースアクセスネットワーク装置であり、該第二のアクセスネットワーク装置はターゲットアクセスネットワーク装置であり、又は該第一のアクセスネットワーク装置は、マルチコネクション場面におけるプライマリアクセスネットワーク装置であり、該第二のアクセスネットワーク装置は該マルチコネクション場面のセカンダリアクセスネットワーク装置である。
【０１５７】
理解すべきものとして、本明細書で用語「システム」と「ネットワーク」は常に本明細書で互換的に使用される。本明細書では用語「及び／又は」は、関連するオブジェクトの関連関係を記述するためのものだけであり、３種類の関係が存在してもよいことを示し、Ａ及び／又はＢは、Ａが単独で存在すること、ＡとＢが同時に存在すること、Ｂが単独で存在することの３つの状況を示すことができる。また、本明細書では文字「／」は、一般的に前後にある関連オブジェクトが「又は」の関係であることを示す。
【０１５８】
理解すべきものとして、端末装置から説明される端末装置とネットワーク装置とのインタラクション及び関連特性、機能などがネットワーク装置の関連特性、機能に対応する。そして、関連内容について上記方法３００で詳細に説明され、簡潔にするために、説明を省略する。
【０１５９】
以上に本出願の実施例によるハンドオーバー方法を詳細に説明し、以下に図１１〜図１６と組み合わせて本出願の実施例による装置を説明し、方法の実施例で説明される技術的特徴が以下の装置の実施例に適用する。
【０１６０】
図１１は本出願の実施例によるアクセスネットワーク装置６００を示す概略ブロック図である。該アクセスネットワーク装置６００は第一のアクセスネットワーク装置であり、図１１に示すように、該アクセスネットワーク装置６００は第一のトリガユニット６１０と順次処理ユニット６２０を備える。
【０１６１】
第一のトリガユニット６１０は、第二のプロトコルスタックを配置するように端末装置及び／又は第二のアクセスネットワーク装置をトリガするように構成され、前記第二のプロトコルスタックが前記第二のアクセスネットワーク装置と前記端末装置のパケットデータコンバージェンスプロトコル（ＰＤＣＰ）  プロトコルデータユニット（ＰＤＵ）の順序及び／又は前記第二のアクセスネットワーク装置と前記端末装置のデータパケットのセキュリティキーを維持することに用いられる。
【０１６２】
順次処理ユニット６２０は、前記第一のアクセスネットワーク装置が前記第二のプロトコルスタックを使用して前記端末装置のデータパケットの順序を維持するように前記端末装置及び／又は前記第二のアクセスネットワーク装置をトリガする前に、第一のプロトコルスタックを使用して前記第一のアクセスネットワーク装置と前記端末装置の処理待ちデータパケットを順次処理するように構成される。
【０１６３】
したがって、本出願の実施例のアクセスネットワーク装置では、第一のアクセスネットワーク装置が新しいプロトコルスタックを完全に使用する前に古いプロトコルスタックを引き続き使用してデータパケットの順序を維持するように端末装置及び／又は第二のアクセスネットワーク装置をトリガすることにより、端末装置のデータがタイムリーに処理されてもよく、それによってハンドオーバープロセスにおける端末装置のデータ伝送の遅延を低減する。
【０１６４】
選択可能に、本出願の実施例では、前記処理待ちデータパケットが第一のデータパケットを含み、前記順次処理ユニット６２０は、具体的に前記第一のアクセスネットワーク装置が前記第二のプロトコルスタックを使用して前記端末装置のデータパケットの順序を維持するように前記端末装置及び／又は前記第二のアクセスネットワーク装置をトリガする前に、前記端末装置から送信された前記第一のデータパケットを受信し、前記第一のプロトコルスタックを使用して前記第一のデータパケット又は前記第一のデータパケットのデータ部分を復号し、前記第一のプロトコルスタックを使用し、復号された前記第一のデータパケットを順次処理するように構成される。
【０１６５】
選択可能に、本出願の実施例では、前記処理待ちデータパケットが第二のデータパケットを含み、前記順次処理ユニットは、具体的に前記第一のアクセスネットワーク装置が前記第二のプロトコルスタックを使用して前記端末装置のデータパケットの順序を維持するように前記端末装置及び／又は前記第二のアクセスネットワーク装置をトリガする前に、コアネットワーク装置から送信された前記第二のデータパケットを受信し、第一のプロトコルスタックを使用して前記第二のデータパケットを使用して順次処理するように構成され、前記アクセスネットワーク装置はさらに前記第一のプロトコルスタックを使用し、順次処理された前記第二のデータパケット又は前記第二のデータパケットのデータ部分を暗号化するように構成される第一の暗号化ユニットを備える。
【０１６６】
選択可能に、本出願の実施例では、前記処理待ちデータパケットが第三のデータパケットを含み、前記順次処理ユニットは、具体的に前記第一のアクセスネットワーク装置が前記第二のプロトコルスタックを使用して前記端末装置のデータパケットの順序を維持するように前記端末装置及び／又は前記第二のアクセスネットワーク装置をトリガする前に、前記第二のアクセスネットワーク装置から送信された、前記第二のアクセスネットワーク装置が前記第二のプロトコルスタックを使用して復号した第三のデータパケットを受信し、復号された前記第三のデータパケットを順次処理するように構成される。
【０１６７】
選択可能に、本出願の実施例では、前記処理待ちデータパケットが第四のデータパケットを含み、前記順次処理ユニットは、具体的に前記第一のアクセスネットワーク装置が前記第二のプロトコルスタックを使用して前記端末装置のデータパケットの順序を維持するように前記端末装置及び／又は前記第二のアクセスネットワーク装置をトリガする前に、コアネットワーク装置から送信された前記第四のデータパケットを受信し、前記第一のプロトコルスタックを使用して前記第四のデータパケットを使用して順次処理するように構成され、前記アクセスネットワーク装置はさらに前記第二のアクセスネットワーク装置が前記第二のプロトコルスタックを使用し、順次処理された前記第二のデータパケット又は前記第二のデータパケットのデータ部分を暗号化するように、前記第二のアクセスネットワーク装置に、順次処理された前記第四のデータパケットを送信するように構成される第二の暗号化ユニットを備える。
【０１６８】
選択可能に、本出願の実施例では、前記アクセスネットワーク装置はさらに前記第一のアクセスネットワーク装置が、処理する必要がある前記端末装置のデータパケットが前記第一のアクセスネットワーク装置に存在しないことを確定した場合、前記第二のプロトコルスタックを使用して前記端末装置のデータパケットの順序を維持するように前記端末装置及び／又は前記第二のアクセスネットワーク装置をトリガするように構成される第二のトリガユニットを備える。
【０１６９】
選択可能に、本出願の実施例では、前記第二のトリガユニットは具体的に前記第一のアクセスネットワーク装置が処理する必要がある前記端末装置のデータパケットが前記第一のアクセスネットワーク装置に存在しないことを確定した場合、前記端末装置へ第一の指示情報を送信するように構成され、前記第一の指示情報が前記第二のプロトコルスタックを使用して前記端末装置のデータパケットの順序を維持するように前記端末装置に指示することに用いられる。
【０１７０】
選択可能に、本出願の実施例では、前記第一の指示情報はさらに前記第一のプロトコルスタックを解放するように前記端末装置に指示することに用いられる。
【０１７１】
選択可能に、本出願の実施例では、前記第一の指示情報は、無線リソース制御（ＲＲＣ）シグナリング、メディアアクセス制御（ＭＡＣ）シグナリング、ダウンリンク制御情報（ＤＣＩ）、データパケット内のビットのいずれかの一つである。
【０１７２】
選択可能に、本出願の実施例では、前記第二のトリガユニットは具体的に前記第一のアクセスネットワーク装置が処理する必要がある前記端末装置のデータパケットが前記第一のアクセスネットワーク装置に存在しないことを確定した場合、前記第一のアクセスネットワーク装置が前記第二のアクセスネットワーク装置へ第二の指示情報を送信するように構成され、前記第二の指示情報が前記第二のプロトコルスタックを使用して前記端末装置のデータパケットの順序を維持するように前記第二のアクセスネットワーク装置に指示することに用いられる。
【０１７３】
選択可能に、本出願の実施例では、前記アクセスネットワーク装置はさらに前記第一のアクセスネットワーク装置が、処理する必要がある前記端末装置のデータパケットが存在しないことを確定するように構成される確定ユニットを備える。
【０１７４】
選択可能に、本出願の実施例では、前記確定ユニットは具体的にコアネットワーク装置から送信された第三の指示情報を受信し、前記第三の指示情報が処理する必要がある前記端末装置のデータパケットが前記第一のアクセスネットワーク装置に存在しないことを示すことに用いられ、前記第三の指示情報に基づき、処理する必要がある前記端末装置のデータパケットが前記第一のアクセスネットワーク装置に存在しないことを確定するように構成される。
【０１７５】
選択可能に、本出願の実施例では、前記アクセスネットワーク装置はさらに前記第二のアクセスネットワーク装置から送信された第四の指示情報を受信するように構成され、前記第四の指示情報が前記第二のプロトコルスタックの配置を完了するように前記端末装置に指示することに用いられる受信ユニットと、前記第四の指示情報に基づき、コアネットワーク装置へルート切替情報を送信するように構成され、前記ルート切替情報が、前記端末装置のデータパケットの順序の維持を担うアクセスネットワーク装置を前記第一のアクセスネットワーク装置から前記第二のアクセスネットワーク装置に切り替えるように前記コアネットワーク装置に指示することに用いられる送信ユニットとを備える。
【０１７６】
選択可能に、本出願の実施例では、該第一のトリガユニットは、具体的に前記第二のアクセスネットワーク装置へ第一のトリガ情報を送信し、前記第一のトリガ情報が、前記第二のプロトコルスタックを配置するように前記第二のアクセスネットワーク装置にリクエストすることに用いられ、前記第二のアクセスネットワーク装置から送信された前記第一のトリガ情報の応答情報を受信し、前記応答情報に基づき、前記端末装置へ第二のトリガ情報を送信するように構成され、前記第二のトリガ情報が、前記第二のプロトコルスタックを配置するように前記端末装置に指示することに用いられる。
【０１７７】
選択可能に、本出願の実施例では、前記第一のアクセスネットワーク装置はソースアクセスネットワーク装置であり、前記第二のアクセスネットワーク装置はターゲットアクセスネットワーク装置であり、又は前記第一のアクセスネットワーク装置は、マルチコネクション場面におけるプライマリアクセスネットワーク装置であり、前記第二のアクセスネットワーク装置は、前記マルチコネクション場面におけるセカンダリアクセスネットワーク装置である。
【０１７８】
理解すべきものとして、本出願の実施例によるアクセスネットワーク装置６００は本出願の方法の実施例における第一のアクセスネットワーク装置に対応してもよく、且つアクセスネットワーク装置６００の各ユニットの上記と他の操作及び／又は機能はそれぞれ図４と図８の方法におけるネットワーク装置の対応するプロセスを実現するためのものであり、簡潔するために、ここでは説明を省略する。
【０１７９】
図１２は本出願の実施例によるアクセスネットワーク装置７００を示す概略ブロック図である。該アクセスネットワーク装置７００は第二のアクセスネットワーク装置であり、図１２に示すように、該アクセスネットワーク装置７００は第一の受信ユニット７１０と第二の受信ユニット７２０を備える。
【０１８０】
第一の受信ユニット７１０は、第一のアクセスネットワーク装置から送信された第一のトリガ情報を受信するように構成され、該第一のトリガ情報が、第二のプロトコルスタックを配置するように該第二のアクセスネットワーク装置をトリガすることに用いられ、第二のプロトコルスタックが該第二のアクセスネットワーク装置と端末装置のデータパケットの順序及び／又は該第二のアクセスネットワーク装置と端末装置のデータパケットのセキュリティキーを維持することに用いられる。
【０１８１】
第二の受信ユニット７２０は、該第一のアクセスネットワーク装置から送信された第二のトリガ情報を受信するように構成され、該第二のトリガ情報が、該第二のプロトコルスタックを使用して該端末装置のデータパケットの順序を維持するように該第二のアクセスネットワーク装置をトリガすることに用いられる。
【０１８２】
したがって、本出願の実施例のアクセスネットワーク装置では、第一のアクセスネットワーク装置が新しいプロトコルスタックを完全に使用する前に古いプロトコルスタックを引き続き使用してデータパケットの順序を維持するように端末装置及び／又は第二のアクセスネットワーク装置をトリガすることにより、端末装置のデータがタイムリーに処理されてもよく、それによってハンドオーバープロセスにおける端末装置のデータ伝送の遅延を低減する。
【０１８３】
選択可能に、本出願の実施例では、該アクセスネットワーク装置はさらに該第二のアクセスネットワーク装置が該第一のアクセスネットワーク装置から送信された該第二のトリガ情報を受信する前に、該第一のアクセスネットワーク装置から送信された、順次処理及び暗号化された第一のデータパケットを受信するように構成される第三の受信ユニットと、順次処理及び暗号化された該第一のデータパケットを該端末装置に転送するように構成される第一の送信ユニットとを備える。
【０１８４】
選択可能に、本出願の実施例では、該アクセスネットワーク装置はさらに該第二のアクセスネットワーク装置が該第一のアクセスネットワーク装置から送信された該第二のトリガ情報を受信する前に、該第一のアクセスネットワーク装置から送信された、順次処理された第二のデータパケットを受信するように構成される第四の受信ユニットと、該第二のプロトコルスタックを使用して該第二のデータパケット又は該第二のデータパケットのデータ部分を暗号化するように構成される第一の暗号化ユニットと、暗号化された該第二のデータパケットを該端末装置に送信するように構成される第二の送信ユニットとを備える。
【０１８５】
選択可能に、本出願の実施例では、該アクセスネットワーク装置はさらに該第二のアクセスネットワーク装置が該第一のアクセスネットワーク装置から送信された該第二のトリガ情報を受信する前に、該端末装置から送信された第三のデータパケットを受信するように構成される第五の受信ユニットと、該第一のアクセスネットワーク装置が該第三のデータパケット又は該第三のデータパケットのデータ部分を復号及び順次処理することができるように、該第一のアクセスネットワーク装置へ該第三のデータパケットを転送するように構成される第三の送信ユニットとを備える。
【０１８６】
選択可能に、本出願の実施例では、該アクセスネットワーク装置はさらに該第二のアクセスネットワーク装置が該第一のアクセスネットワーク装置から送信された該第二のトリガ情報を受信する前に、該端末装置から送信された第四のデータパケットを受信するように構成される第六の受信ユニットと、該第二のプロトコルスタックを使用して該第四のデータパケット又は該第四のデータパケットのデータ部分を復号するように構成される第一の復号ユニットと、該第一のアクセスネットワーク装置が復号された該第四のデータパケットを順次処理することができるように、該第一のアクセスネットワーク装置へ復号された該第四のデータパケットを送信するように構成される第四の送信ユニットとを備える。
【０１８７】
選択可能に、本出願の実施例では、該アクセスネットワーク装置はさらに端末装置から送信された第一の指示情報を受信するように構成され、該第一の指示情報が、該端末装置が既に該第二のプロトコルスタックの配置を完了したことを示すことに用いられる第七の受信ユニットと、該第一の指示情報に基づき、コアネットワーク装置へルート切替情報を送信し、又は該第一の指示情報に基づき、コアネットワーク装置へルート切替情報を送信するように該第一のアクセスネットワーク装置をトリガするように構成され、該ルート切替情報が該端末装置のデータパケットの順序の維持を担うアクセスネットワーク装置を該第一のアクセスネットワーク装置から該第二のアクセスネットワーク装置に切り替えるように該コアネットワーク装置に指示することに用いられる第五の送信ユニットとを備える。
【０１８８】
選択可能に、本出願の実施例では、該アクセスネットワーク装置はさらに該第七の送信ユニットが該コアネットワーク装置へ該ルート切替情報を送信した後、該第二のアクセスネットワーク装置が該第一のアクセスネットワーク装置から送信された第二の指示情報を受信するように構成され、該第二の指示情報が、処理する必要がある該端末装置のデータ又はデータパケットが該第一のアクセスネットワーク装置に存在しないことを示すことに用いられる第八の受信ユニットを備える。
【０１８９】
選択可能に、本出願の実施例では、該第二のトリガ情報は、無線リソース制御（ＲＲＣ）シグナリング、メディアアクセス制御（ＭＡＣ）シグナリング、ダウンリンク制御情報（ＤＣＩ）、データパケット内のビットのいずれかの一つである。
【０１９０】
選択可能に、本出願の実施例では、該第一のアクセスネットワーク装置はソースアクセスネットワーク装置であり、該第二のアクセスネットワーク装置はターゲットアクセスネットワーク装置であり、又は該第一のアクセスネットワーク装置は、マルチコネクション場面におけるプライマリアクセスネットワーク装置であり、該第二のアクセスネットワーク装置は該マルチコネクション場面のセカンダリアクセスネットワーク装置である。
【０１９１】
理解すべきものとして、本出願の実施例によるアクセスネットワーク装置７００は本出願の方法の実施例における第二のアクセスネットワーク装置に対応してもよく、且つアクセスネットワーク装置７００の各ユニットの上記と他の操作及び／又は機能はそれぞれ図５と図９の方法におけるネットワーク装置の対応するプロセスを実現するためのものであり、簡潔するために、ここでは説明を省略する。
【０１９２】
図１３は本出願の実施例による端末装置８００を示す概略ブロック図である。図１３に示すように、該端末装置８００は、配置ユニット８１０と、第一の順次処理ユニット８２０とを備える。
【０１９３】
配置ユニット８１０は、第一のアクセスネットワーク装置から送信された第一のトリガ情報に基づき、第二のプロトコルスタックを配置するように構成され、該第二のプロトコルスタックが該第二のアクセスネットワーク装置と該端末装置のデータパケットの順序及び／又は該第二のアクセスネットワーク装置と該端末装置のデータパケットのセキュリティキーを維持することに用いられる。
【０１９４】
第一の順次処理ユニット８２０は、該端末装置が該第一のアクセスネットワーク装置及び／又は該第二のアクセスネットワーク装置から送信された第二のトリガ情報を受信する前に、第一のプロトコルスタックを使用して該端末装置の処理待ちデータパケット又はデータを順次処理し、該第二のトリガ情報が該第二のプロトコルスタックを使用して該端末装置のデータパケットの順序を維持するように該端末装置をトリガすることに用いられる。
【０１９５】
したがって、本出願の実施例の端末装置では、第一のアクセスネットワーク装置が新しいプロトコルスタックを完全に使用する前に古いプロトコルスタックを引き続き使用してデータパケットの順序を維持するように端末装置及び／又は第二のアクセスネットワーク装置をトリガすることにより、端末装置のデータがタイムリーに処理されてもよく、それによってハンドオーバープロセスにおける端末装置のデータ伝送の遅延を低減する。
【０１９６】
選択可能に、本出願の実施例では、該処理待ちデータが第一のデータを含み、該第一の順次処理ユニットは、具体的に該第一のプロトコルスタックを使用して該第一のデータを順次処理するように構成され、該端末装置は、さらに該第一のプロトコルスタックを使用し、順次処理された該第一のデータパケット又は該第一のデータを含むデータパケットを暗号化するように構成される第一の暗号化ユニットと、暗号化された、該第一のデータを含むデータパケットを該第一のアクセスネットワーク装置に送信するように構成される第一の送信ユニットとを備える。
【０１９７】
選択可能に、本出願の実施例では、該処理待ちデータパケットが第一のデータパケットを含み、該第一の順次処理ユニットは具体的に該端末装置が該第一のアクセスネットワーク装置及び／又は該第二のアクセスネットワーク装置から送信された第二のトリガ情報を受信する前に、該第一のアクセスネットワーク装置から送信された該第一のデータパケットを受信し、該第一のプロトコルスタックを使用して該第一のデータパケット又は該第一のデータパケット内のデータ部分を復号し、該第一のプロトコルスタックを使用し、復号された該第一のデータパケットを順次処理するように構成される。
【０１９８】
選択可能に、本出願の実施例では、該処理待ちデータが第二のデータを含み、該第一の順次処理ユニットは、具体的に該第一のプロトコルスタックを使用して該第二のデータを順次処理するように構成され、該端末装置は、さらに該第二のプロトコルスタックを使用し、順次処理された該第二のデータ又は該第二のデータを含むデータパケットを暗号化するように構成される第二の暗号化ユニットと、暗号化された、該第二のデータを含むデータパケットを該第二のネットワーク装置に送信するように構成される第二の送信ユニットとを備える。
【０１９９】
選択可能に、本出願の実施例では、該処理待ちデータパケットが第二のデータパケットを含み、該第一の順次処理ユニットは該第二のネットワーク装置から送信された該第二のデータパケットを受信し、該第二のプロトコルスタックを使用して該第二のデータパケット又は該第二のデータパケット内のデータ部分を復号し、該第一のプロトコルスタックを使用し、復号された該第二のデータパケットを順次処理するように構成される。
【０２００】
選択可能に、本出願の実施例では、該端末装置はさらに該第一のアクセスネットワーク装置及び／又は該第二のアクセスネットワーク装置から送信された該第二のトリガ情報を受信するように構成される第一の受信ユニットと、該第二のトリガ情報に基づき、該第二のプロトコルスタックを使用して該端末装置のデータパケットの順序を維持するように構成される第二の順次処理ユニットとを備える。
【０２０１】
選択可能に、本出願の実施例では、該第二のトリガ情報はさらに該第一のプロトコルスタックを解放するように該端末装置に指示することに用いられ、該端末装置はさらに該第二のトリガ情報に基づき、該第一のプロトコルスタックを解放するように構成される解放ユニットを備える。
【０２０２】
選択可能に、本出願の実施例では、該第二のトリガ情報は、無線リソース制御（ＲＲＣ）シグナリング、メディアアクセス制御（ＭＡＣ）シグナリング、ダウンリンク制御情報（ＤＣＩ）、データパケット内のビットのいずれかの一つである。
【０２０３】
選択可能に、本出願の実施例では、前記第一のアクセスネットワーク装置はソースアクセスネットワーク装置であり、前記第二のアクセスネットワーク装置はターゲットアクセスネットワーク装置であり、又は前記第一のアクセスネットワーク装置は、マルチコネクション場面におけるプライマリアクセスネットワーク装置であり、前記第二のアクセスネットワーク装置は、前記マルチコネクション場面におけるセカンダリアクセスネットワーク装置である。
【０２０４】
理解すべきものとして、本出願の実施例による端末装置８００は本出願の方法の実施例における端末装置に対応してもよく、且つ端末装置８００の各ユニットの上記と他の操作及び／又は機能はそれぞれ図５〜図８及び図１０の方法における端末装置の対応するプロセスを実現するためのものであり、簡潔するために、ここでは説明を省略する。
【０２０５】
図１４に示すように、本出願の実施例はさらに図４〜図８の方法３００に対応する第一のアクセスネットワーク装置のコンテンツを実行することに利用可能な図１１のアクセスネットワーク装置６００とすることができるアクセスネットワーク装置９００を提供する。該アクセスネットワーク装置９００は、入力インタフェース９１０、出力インタフェース９２０、プロセッサ９３０及びメモリ９４０を備え、該入力インタフェース９１０、出力インタフェース９２０、プロセッサ９３０とメモリ９４０がバスシステムを介して接続されてもよい。該メモリ９４０はプログラム、命令又はコードを記憶するように構成される。該プロセッサ９３０は、該メモリ９４０におけるプログラム、命令又はコードを実行し、信号を受信するように入力インタフェース９１０を制御し、信号を送信するように出力インタフェース９２０を制御し、前記方法の実施例における操作を完了するように構成される。
【０２０６】
したがって、本出願の実施例のアクセスネットワーク装置では、第一のアクセスネットワーク装置が新しいプロトコルスタックを完全に使用する前に古いプロトコルスタックを引き続き使用してデータパケットの順序を維持するように端末装置及び／又は第二のアクセスネットワーク装置をトリガすることにより、端末装置のデータがタイムリーに処理されてもよく、それによってハンドオーバープロセスにおける端末装置のデータ伝送の遅延を低減する。
【０２０７】
理解すべきものとして、本発明の実施例では、該プロセッサ９３０は中央処理ユニット（ＣＰＵ：Ｃｅｎｔｒａｌ  Ｐｒｏｃｅｓｓｉｎｇ  Ｕｎｉｔ）であってもよく、該プロセッサ９３０はさらに他の汎用プロセッサ、デジタル信号プロセッサ（ＤＳＰ：Ｄｉｇｉｔａｌ  Ｓｉｇｎａｌ  Ｐｒｏｃｅｓｓｏｒ）、専用集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）又は他のプログラマブルロジックデバイス、ディスクリートゲート又はトランジスタロジックデバイス、ディスクリートハードウェアコンポーネントなどであってもよい。汎用プロセッサはマイクロプロセッサであってもよく、又は該プロセッサはいずれかの従来のプロセッサなどであってもよい。
【０２０８】
該メモリ９４０は読み取り専用メモリとランダムアクセスメモリを含み、そしてプロセッサ９３０へ命令とデータを提供することができる。メモリ９４０の一部はさらに不揮発性ランダムアクセスメモリを含むことができる。例えば、メモリ９４０はさらに装置タイプの情報を記憶することができる。
【０２０９】
実施プロセスでは、上記方法の各内容は、プロセッサ９３０におけるハードウェアの集積論理回路又はソフトウェアの形の命令によって完了されてもよい。本出願の実施例と組み合わせて開示される方法の内容はハードウェアプロセッサによって実行されて完了され、又はプロセッサにおけるハードウェア及びソフトウェアモジュールの組み合わせによって実行されて完了されるように直接具現化されてもよい。ソフトウェアモジュールはランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒体はメモリ９４０に位置し、プロセッサ９３０はメモリ９４０における情報を読み取り、そのハードウェアと組み合わせて上記方法の内容を完了する。繰り返しを回避するために、ここで詳細な説明を省略する。
【０２１０】
一つの具体的な実施形態では、アクセスネットワーク装置６００における送信ユニットは図１４における出力インタフェース９２０によって実現されてもよく、アクセスネットワーク装置６００の受信ユニットは図１４の入力インタフェース９１０によって実現されてもよい。アクセスネットワーク装置６００の第一のトリガユニット、第二のトリガユニット、順次処理ユニット、確定ユニット、第一の暗号化ユニットと第二の復号ユニットは図１４におけるプロセッサ９３０によって実現されてもよい。
【０２１１】
図１５に示すように、本出願の実施例はさらに図５〜図９の方法４００に対応する第二のアクセスネットワーク装置のコンテンツを実行することに利用可能な図１２のアクセスネットワーク装置７００とすることができるアクセスネットワーク装置１０００を提供する。該アクセスネットワーク装置１０００は、入力インタフェース１０１０、出力インタフェース１０２０、プロセッサ１０３０及びメモリ１０４０を備え、該入力インタフェース１０１０、出力インタフェース１０２０、プロセッサ１０３０とメモリ１０４０がバスシステムを介して接続されてもよい。該メモリ１０４０はプログラム、命令又はコードを記憶するように構成される。該プロセッサ１０３０は該メモリ１０４０におけるプログラム、命令又はコードを実行し、信号を受信するように入力インタフェース１０１０を制御し、信号を送信するように出力インタフェース１０２０を制御し、前記方法の実施例における操作を完了するように構成される。
【０２１２】
したがって、本出願の実施例のアクセスネットワーク装置では、第一のアクセスネットワーク装置が新しいプロトコルスタックを完全に使用する前に古いプロトコルスタックを引き続き使用してデータパケットの順序を維持するように端末装置及び／又は第二のアクセスネットワーク装置をトリガすることにより、端末装置のデータがタイムリーに処理されてもよく、それによってハンドオーバープロセスにおける端末装置のデータ伝送の遅延を低減する。
【０２１３】
理解すべきものとして、本発明の実施例では、該プロセッサ１０３０は中央処理ユニット（ＣＰＵ：Ｃｅｎｔｒａｌ  Ｐｒｏｃｅｓｓｉｎｇ  Ｕｎｉｔ）であってもよく、該プロセッサ１０３０はさらに他の汎用プロセッサ、デジタル信号プロセッサ（ＤＳＰ：Ｄｉｇｉｔａｌ  Ｓｉｇｎａｌ  Ｐｒｏｃｅｓｓｏｒ）、専用集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）又は他のプログラマブルロジックデバイス、ディスクリートゲート又はトランジスタロジックデバイス、ディスクリートハードウェアコンポーネントなどであってもよい。汎用プロセッサはマイクロプロセッサであってもよく、又は該プロセッサはいずれかの従来のプロセッサなどであってもよい。
【０２１４】
該メモリ１０４０は読み取り専用メモリとランダムアクセスメモリを含み、そしてプロセッサ１０３０へ命令とデータを提供することができる。メモリ１０４０の一部はさらに不揮発性ランダムアクセスメモリを含むことができる。例えば、メモリ１０４０はさらに装置タイプの情報を記憶することができる。
【０２１５】
実施プロセスでは、上記方法の各内容は、プロセッサ１０３０におけるハードウェアの集積論理回路又はソフトウェアの形の命令によって完了されてもよい。本出願の実施例と組み合わせて開示される方法の内容はハードウェアプロセッサによって実行されて完了され、又はプロセッサにおけるハードウェア及びソフトウェアモジュールの組み合わせによって実行されて完了されるように直接具現化されてもよい。ソフトウェアモジュールはランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒体はメモリ１０４０に位置し、プロセッサ１０３０はメモリ１０４０における情報を読み取り、そのハードウェアと組み合わせて上記方法の内容を完了する。繰り返しを回避するために、ここで詳細な説明を省略する。
【０２１６】
一つの具体的な実施形態では、アクセスネットワーク装置７００における第一の送信ユニット〜第六の送信ユニットは図１５における出力インタフェース１０２０によって実現されてもよく、アクセスネットワーク装置７００の第一の受信ユニット〜第六の受信ユニットは図１５の入力インタフェース１０１０によって実現されてもよい。アクセスネットワーク装置７００の第一の暗号化ユニットと第一の復号ユニットは図１５におけるプロセッサ１０３０によって実現されてもよい。
【０２１７】
図１６に示すように、本出願の実施例はさらに図５〜図８及び図１０の方法５００に対応する端末装置のコンテンツを実行することに利用可能な図１３の端末装置８００とすることができる端末装置２０００を提供する。該端末装置２０００は、入力インタフェース２０１０、出力インタフェース２０２０、プロセッサ２０３０及びメモリ２０４０を備え、該入力インタフェース２０１０、出力インタフェース２０２０、プロセッサ２０３０とメモリ２０４０がバスシステムを介して接続されてもよい。該メモリ２０４０はプログラム、命令又はコードを記憶するように構成される。該プロセッサ２０３０は該メモリ２０４０におけるプログラム、命令又はコードを実行するように、信号を受信するように入力インタフェース２０１０を制御し、信号を送信するように出力インタフェース２０２０を制御し、前記方法の実施例における操作を完了するように構成される。
【０２１８】
したがって、本出願の実施例の端末装置では、第一のアクセスネットワーク装置が新しいプロトコルスタックを完全に使用する前に古いプロトコルスタックを引き続き使用してデータパケットの順序を維持するように端末装置及び／又は第二のアクセスネットワーク装置をトリガすることにより、端末装置のデータがタイムリーに処理されてもよく、それによってハンドオーバープロセスにおける端末装置のデータ伝送の遅延を低減する。
【０２１９】
理解すべきものとして、本発明の実施例では、該プロセッサ２０３０は中央処理ユニット（ＣＰＵ：Ｃｅｎｔｒａｌ  Ｐｒｏｃｅｓｓｉｎｇ  Ｕｎｉｔ）であってもよく、該プロセッサ２０３０はさらに他の汎用プロセッサ、デジタル信号プロセッサ（ＤＳＰ：Ｄｉｇｉｔａｌ  Ｓｉｇｎａｌ  Ｐｒｏｃｅｓｓｏｒ）、専用集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）又は他のプログラマブルロジックデバイス、ディスクリートゲート又はトランジスタロジックデバイス、ディスクリートハードウェアコンポーネントなどであってもよい。汎用プロセッサはマイクロプロセッサであってもよく、又は該プロセッサはいずれかの従来のプロセッサなどであってもよい。
【０２２０】
該メモリ２０４０は読み取り専用メモリとランダムアクセスメモリを含み、そしてプロセッサ２０３０へ命令とデータを提供することができる。メモリ２０４０の一部はさらに不揮発性ランダムアクセスメモリを含むことができる。例えば、メモリ２０４０はさらに装置タイプの情報を記憶することができる。
【０２２１】
実施プロセスでは、上記方法の各内容は、プロセッサ２０３０におけるハードウェアの集積論理回路又はソフトウェアの形の命令によって完了されてもよい。本出願の実施例と組み合わせて開示される方法の内容はハードウェアプロセッサによって実行されて完了され、又はプロセッサにおけるハードウェア及びソフトウェアモジュールの組み合わせによって実行されて完了されるように直接具現化されてもよい。ソフトウェアモジュールはランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒体はメモリ２０４０に位置し、プロセッサ２０３０はメモリ２０４０における情報を読み取り、そのハードウェアと組み合わせて上記方法の内容を完了する。繰り返しを回避するために、ここで詳細な説明を省略する。
【０２２２】
一つの具体的な実施形態では、端末装置８００における第一の送信ユニットと第二の送信ユニットは図１６における出力インタフェース２０２０によって実現されてもよく、端末装置８００における第一の受信ユニットは図１６における入力インタフェース２０１０によって実現されてもよい。端末装置８００の配置ユニット、第一の順次処理ユニット、第一の暗号化ユニット、第一の復号ユニット及び第二の順次処理ユニットは図１６におけるプロセッサ２０３０によって実現されてもよい。
【０２２３】
当業者であれば、本明細書で開示される実施例と組み合わせて説明された各例のユニット及びアルゴリズムステップは、電子ハードウェア、又はコンピュータソフトウェアと電子ハードウェアの組み合わせで実現されてもよいと理解できる。これらの機能がハードウエア又はソフトウエアで実行されるかは、技術的解決策の特定アプリケーションと設計制約条件に依存する。当業者は各特定のアプリケーションに対して異なる方法を用いて記述される機能を実現することができるが、このような実現は本出願の範囲を超えると考えられるべきではない。
【０２２４】
当業者は、便利及び簡潔に説明するために、上記のシステム、装置及びユニットの具体的な動作プロセスについて、前記方法の実施例における対応するプロセスを参照でき、ここで説明を省略することを明確に理解することができる。
【０２２５】
本出願が提供する、いくつかの実施例では、開示されるシステム、装置及び方法は、他の方式により実現されてもよいと理解すべきである。例えば、上記の装置の実施例は例示的なものだけであり、例えば、該ユニットの区分は、論理機能的区分だけであり、実際に実施する時に他の区分モードもあり得て、例えば複数のユニット又は構成要素は組み合わせられてもよく又は別のシステムに統合されてもよく、又はいくつかの特徴は無視されてもよく、又は実行されなくてもよい。また、示される又は議論される相互結合又は直接結合又は通信接続はいくつかのインターフェース、装置又はユニットを介する間接的結合又は通信接続であってもよく、電気的、機械的又は他の形態であってもよい。
【０２２６】
分離部材として説明される該ユニットは物理的に分離するものであってもよく又は物理的に分離するものでなくてもよく、ユニットとして表示された部材は物理ユニットであってもよく又は物理ユニットでなくてもよく、即ち一つの箇所に位置してもよく、又は複数のネットワークユニットに分布してもよい。実際のニーズに応じてそのうちの一部又は全てのユニットを選択して本実施例の解決策の目的を達成することができる。
【０２２７】
また、本出願の各実施例における各機能ユニットは一つの処理ユニットに統合されてもよく、個々のユニットは単独で物理的に存在してもよく、二つ又は二つ以上のユニットは一つのユニットに統合されてもよい。
【０２２８】
該機能はソフトウェア機能ユニットの形態で実現され且つ独立した製品として販売又は使用される時に、一つのコンピュータ読み取り可能な記憶媒体に格納されてもよい。このような理解に基づき、本出願の技術的解決策は本質的に又は従来技術に寄与する部分又は該技術的解決策の部分がソフトウェア製品の形で実現されてもよく、該コンピュータソフトウェア製品がコンピュータ装置（パーソナルコンピュータ、サーバ、又はネットワークデバイス等であってもよい）に本出願の様々な実施例の全て又は一部のステップを実行させるためのいくつかの命令を含む、記憶媒体に記憶される。前記憶媒体はＵディスク、モバイルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる各種の媒体を含む。
【０２２９】
以上は、本出願の実施例の具体的な実施形態だけであるが、本出願の保護範囲はこれに制限されず、当業者が本出願で開示された技術範囲内で容易に想到し得る変化又は入れ替わりが全て本出願の保護範囲以内に含まれるべきである。従って、本出願の保護範囲は請求項の保護範囲に準拠するべきである。
【図１】
2020532887.tif 000003
【図２】
2020532887.tif 000004
【図３】
2020532887.tif 000005
【図４】
2020532887.tif 000006
【図５】
2020532887.tif 000007
【図６】
2020532887.tif 000008
【図７】
2020532887.tif 000009
【図８】
2020532887.tif 000010
【図９】
2020532887.tif 000011
【図１０】
2020532887.tif 000012
【図１１】
2020532887.tif 000013
【図１２】
2020532887.tif 000014
【図１３】
2020532887.tif 000015
【図１４】
2020532887.tif 000016
【図１５】
2020532887.tif 000017
【図１６】
2020532887.tif 000018
【手続補正書】
【提出日】令和2年6月30日(2020.6.30)
【手続補正１】
【補正対象書類名】特許請求の範囲
【補正対象項目名】全文
【補正方法】変更
【補正の内容】
【特許請求の範囲】
【請求項１】
ハンドオーバー方法であって、
第一のアクセスネットワーク装置が、第二のプロトコルスタックを配置するように端末装置及び／又は第二のアクセスネットワーク装置をトリガし、前記第二のプロトコルスタックが、前記第二のアクセスネットワーク装置と前記端末装置のデータパケットの順序及び／又は前記第二のアクセスネットワーク装置と前記端末装置のデータパケットのセキュリティキーを維持することに用いられることと、
前記第一のアクセスネットワーク装置が前記第二のプロトコルスタックを使用して前記端末装置のデータパケットの順序を維持するように前記端末装置及び／又は前記第二のアクセスネットワーク装置をトリガする前に、前記第一のアクセスネットワーク装置が、第一のプロトコルスタックを使用して前記端末装置の処理待ちデータパケットを順次処理することとを含む、前記ハンドオーバー方法。
【請求項２】
前記処理待ちデータパケットが第一のデータパケットを含み、前記第一のアクセスネットワーク装置が前記第二のプロトコルスタックを使用して前記端末装置のデータパケットの順序を維持するように前記端末装置及び／又は前記第二のアクセスネットワーク装置をトリガする前に、前記第一のアクセスネットワーク装置が、第一のプロトコルスタックを使用して前記端末装置の処理待ちデータパケットを順次処理することは、
前記第一のアクセスネットワーク装置が前記第二のプロトコルスタックを使用して前記端末装置のデータパケットの順序を維持するように前記端末装置及び／又は前記第二のアクセスネットワーク装置をトリガする前に、前記第一のアクセスネットワーク装置が、前記端末装置から送信された前記第一のデータパケットを受信することと、
前記第一のアクセスネットワーク装置が、前記第一のプロトコルスタックを使用して前記第一のデータパケット又は前記第一のデータパケットのデータ部分を復号することと、
前記第一のアクセスネットワーク装置が、前記第一のプロトコルスタックを使用し、復号された前記第一のデータパケットを順次処理することとを含むことを特徴とする
請求項１に記載の方法。
【請求項３】
前記処理待ちデータパケットが第二のデータパケットを含み、前記第一のアクセスネットワーク装置が前記第二のプロトコルスタックを使用して前記端末装置のデータパケットの順序を維持するように前記端末装置及び／又は前記第二のアクセスネットワーク装置をトリガする前に、前記第一のアクセスネットワーク装置が、第一のプロトコルスタックを使用して前記端末装置の処理待ちデータパケットを順次処理することは、
前記第一のアクセスネットワーク装置が前記第二のプロトコルスタックを使用して前記端末装置のデータパケットの順序を維持するように前記端末装置及び／又は前記第二のアクセスネットワーク装置をトリガする前に、前記第一のアクセスネットワーク装置が、コアネットワーク装置から送信された前記第二のデータパケットのデータ部分を受信することと、
前記第一のアクセスネットワーク装置が、第一のプロトコルスタックを使用して前記第二のデータパケットを順次処理することとを含み、
前記方法はさらに、
前記第一のアクセスネットワーク装置が、前記第一のプロトコルスタックを使用し、順次処理された前記第二のデータパケット又は前記第二のデータパケットのデータ部分を暗号化することを含むことを特徴とする
請求項１に記載の方法。
【請求項４】
前記処理待ちデータパケットが第三のデータパケットを含み、前記第一のアクセスネットワーク装置が前記第二のプロトコルスタックを使用して前記端末装置のデータパケットの順序を維持するように前記端末装置及び／又は前記第二のアクセスネットワーク装置をトリガする前に、前記第一のアクセスネットワーク装置が、第一のプロトコルスタックを使用して前記端末装置の処理待ちデータパケットを順次処理することは、
前記第一のアクセスネットワーク装置が前記第二のプロトコルスタックを使用して前記端末装置のデータパケットの順序を維持するように前記端末装置及び／又は前記第二のアクセスネットワーク装置をトリガする前に、前記第一のアクセスネットワーク装置が、前記第二のアクセスネットワーク装置から送信された、前記第二のアクセスネットワーク装置が前記第二のプロトコルスタックを使用して復号した前記第三のデータパケットを受信することと、
前記第一のアクセスネットワーク装置が、復号された前記第三のデータパケットを順次処理することとを含むことを特徴とする
請求項１又は２に記載の方法。
【請求項５】
前記処理待ちデータパケットが第四のデータパケットを含み、前記第一のアクセスネットワーク装置が前記第二のプロトコルスタックを使用して前記端末装置のデータパケットの順序を維持するように前記端末装置及び／又は前記第二のアクセスネットワーク装置をトリガする前に、前記第一のアクセスネットワーク装置が第一のプロトコルスタックを使用して前記第一のアクセスネットワーク装置と前記端末装置の処理待ちデータパケットを順次処理することは、
前記第一のアクセスネットワーク装置が前記第二のプロトコルスタックを使用して前記端末装置のデータパケットの順序を維持するように前記端末装置及び／又は前記第二のアクセスネットワーク装置をトリガする前に、前記第一のアクセスネットワーク装置が、コアネットワーク装置から送信された前記第四のデータパケットのデータ部分を受信することと、
前記第一のアクセスネットワーク装置が、前記第一のプロトコルスタックを使用して前記第四のデータパケットを順次処理することとを含み、
前記方法はさらに、
前記第二のアクセスネットワーク装置が前記第二のプロトコルスタックを使用し、順次処理された前記第四のデータパケット又は前記第四のデータパケットのデータ部分を暗号化することができるように、前記第一のアクセスネットワーク装置が、順次処理された前記第四のデータパケットを前記第二のアクセスネットワーク装置に送信することを含むことを特徴とする
請求項１又は３に記載の方法。
【請求項６】
前記方法はさらに、
前記第一のアクセスネットワーク装置が、処理する必要がある前記端末装置のデータ又はデータパケットが前記第一のアクセスネットワーク装置に存在しないことを確定した場合、前記第一のアクセスネットワーク装置が、前記第二のプロトコルスタックを使用して前記端末装置のデータパケットの順序を維持するように前記端末装置及び／又は前記第二のアクセスネットワーク装置をトリガすることを含むことを特徴とする
請求項１−５のいずれか一項に記載の方法。
【請求項７】
端末装置であって、
第一のアクセスネットワーク装置から送信された第一のトリガ情報に基づき、第二のプロトコルスタックを配置するように構成され、前記第二のプロトコルスタックが、前記第二のアクセスネットワーク装置と前記端末装置のデータパケットの順序及び／又は前記第二のアクセスネットワーク装置と前記端末装置のデータパケットのセキュリティキーを維持することに用いられる配置ユニットと、
前記端末装置が前記第一のアクセスネットワーク装置及び／又は前記第二のアクセスネットワーク装置から送信された第二のトリガ情報を受信する前に、第一のプロトコルスタックを使用して前記端末装置の処理待ちデータパケット又はデータを順次処理するように構成され、前記第二のトリガ情報が、前記第二のプロトコルスタックを使用して前記端末装置のデータパケットの順序を維持するように前記端末装置をトリガすることに用いられる第一の順次処理ユニットとを備える、前記端末装置。
【請求項８】
前記処理待ちデータが第一のデータを含み、前記第一の順次処理ユニットは具体的に、
前記第一のプロトコルスタックを使用して前記第一のデータを順次処理するように構成され、
前記端末装置はさらに、
前記第一のプロトコルスタックを使用し、順次処理された前記第一のデータ又は前記第一のデータを含むデータパケットを暗号化するように構成される第一の暗号化ユニットと、
暗号化された、前記第一のデータを含むデータパケットを前記第一のアクセスネットワーク装置に送信するように構成される第一の送信ユニットとを備えることを特徴とする
請求項７に記載の端末装置。
【請求項９】
前記処理待ちデータパケットが第一のデータパケットを含み、前記第一の順次処理ユニットは具体的に、
前記端末装置が前記第一のアクセスネットワーク装置及び／又は前記第二のアクセスネットワーク装置から送信された第二のトリガ情報を受信する前に、前記第一のアクセスネットワーク装置から送信された前記第二のデータパケットを受信し、
前記第一のプロトコルスタックを使用して前記第一のデータパケット又は前記第一のデータパケットのデータ部分を復号し、
前記第一のプロトコルスタックを使用し、復号された前記第一のデータパケットを順次処理するように構成されることを特徴とする
請求項７に記載の端末装置。
【請求項１０】
前記処理待ちデータが第二のデータを含み、前記第一の順次処理ユニットは具体的に、
前記第一のプロトコルスタックを使用して前記第二のデータを順次処理するように構成され、
前記端末装置はさらに、
前記第二のプロトコルスタックを使用し、順次処理された前記第二のデータ又は前記第二のデータを含むデータパケットを暗号化するように構成される第二の暗号化ユニットと、
暗号化された、前記第二のデータを含むデータパケットを前記第二のアクセスネットワーク装置に送信するように構成される第二の送信ユニットとを備えることを特徴とする
請求項７又は８に記載の端末装置。
【請求項１１】
前記処理待ちデータパケットが第二のデータパケットを含み、前記第一の順次処理ユニットは具体的に、
前記第二のネットワーク装置から送信された前記第二のデータパケットを受信し、
前記第二のプロトコルスタックを使用して前記第二のデータパケット又は前記第二のデータパケットのデータ部分を復号し、
前記第一のプロトコルスタックを使用し、復号された前記第二のデータパケットを順次処理するように構成されることを特徴とする
請求項７又は９に記載の端末装置。
【請求項１２】
前記端末装置はさらに、
前記第一のアクセスネットワーク装置及び／又は前記第二のアクセスネットワーク装置から送信された前記第二のトリガ情報を受信するように構成される第一の受信ユニットと、
前記第二のトリガ情報に基づき、前記第二のプロトコルスタックを使用して前記端末装置のデータパケットの順序を維持するように構成される第二の順次処理ユニットとを備えることを特徴とする
請求項７−１１のいずれか一項に記載の端末装置。
【請求項１３】
前記第二のトリガ情報はさらに前記第一のプロトコルスタックを解放するように前記端末装置に指示することに用いられ、前記端末装置はさらに、
前記第二のトリガ情報に基づき、前記第一のプロトコルスタックを解放するように構成される解放ユニットを備えることを特徴とする
請求項１２に記載の端末装置。
【請求項１４】
前記第二のトリガ情報は無線リソース制御（ＲＲＣ）シグナリング、メディアアクセス制御（ＭＡＣ）シグナリング、ダウンリンク制御情報（ＤＣＩ）、データパケット内のビットのいずれかの一つであることを特徴とする請求項７−１３のいずれか一項に記載の端末装置。
【請求項１５】
前記第一のアクセスネットワーク装置はソースアクセスネットワーク装置であり、前記第二のアクセスネットワーク装置はターゲットアクセスネットワーク装置であり、又は前記第一のアクセスネットワーク装置は、マルチコネクション場面におけるプライマリアクセスネットワーク装置であり、前記第二のアクセスネットワーク装置は、前記マルチコネクション場面におけるセカンダリアクセスネットワーク装置であることを特徴とする請求項７−１４のいずれか一項に記載の端末装置。
【国際調査報告】
2020532887.tif 000019
2020532887.tif 000020
2020532887.tif 000021
2020532887.tif 000022
2020532887.tif 000023